(57)【要約】      （修正有）【課題】ユーザに搭乗日が他の日とは異なる個性を持つことを認識させることで、どの日も似たようなものとして漫然と車両に搭乗するのではなく、搭乗するごとに新鮮味や驚きを感じさせ、意識を引き締めて車両に搭乗することで、車両運転の安全性に繋げるシステム及びプログラムを提供する。【解決手段】本レーダー探知機は、車両の搭乗者が視認可能な表示器に、車両の搭乗日の日付情報５１と共に、搭乗日の個性情報（六曜５２、七十二候５３七十二候の画像５４）を表示させる制御を行う制御部を有する。【選択図】図３
2018129071.tif 000002
【特許請求の範囲】
【請求項１】
表示手段に情報を表示させるための制御を行うシステムにおいて、
搭乗日の交通事故レベル情報を表示手段に表示させる機能を備え、
前記搭乗日の交通事故レベル情報として、前記搭乗日を含む異なる時間範囲の交通事故注意レベルと総合的な交通事故注意レベルとを表示させることを特徴とするシステム。
【請求項２】
前記搭乗日を含む異なる時間範囲の交通事故注意レベルと前記総合的な交通事故注意レベルとを、レベルに応じて異なる色で表示させることを特徴とする請求項１に記載のシステム。
【請求項３】
前記交通事故レベル情報を、前記搭乗日の日付と共に前記システムの初期画面又は待ち受け画面に表示させることを特徴とする請求項１または２に記載のシステム。
【請求項４】
請求項１〜３のいずれか一項に記載のシステムの機能をコンピュータに実現させるためのプログラム。
【発明の詳細な説明】
【技術分野】
【０００１】
本発明は、例えば車両の搭乗日の個性情報を表示手段に表示させるシステム及びプログラム等に関する。
【背景技術】
【０００２】
自動車に搭載される電子機器には、レーダー探知機やカーナビゲーション装置等の様々な種類のものがある。これらの電子機器は、例えば、機器の制御を行う制御手段と、制御に必要な各種情報を格納する記憶手段と、制御手段による処理結果を表示する表示手段を有する。表示手段は小型のディスプレイ等で構成され、このディスプレイを運転席の近傍に配置し、タッチパネルやリモコン等の入力によってユーザが電子機器を操作する。
【０００３】
こういった車載用電子機器は、車両の走行中においても、常時処理を行わないものも多い。例えば、レーダー探知機は、レーダーを探知するまでは処理待ちの状態になっている。また、例えば、カーナビゲーション装置は、ルート案内を行っていないときは処理待ちの状態となっている。
【０００４】
処理待ち状態において、車載用電子機器のディスプレイの表示はオフになっているか、処理待ち状態であることを示す待ち受け画面が表示されていることが多い。待ち受け画面は、メーカーのロゴ画像等の画像を単に表示しているようなものが多かった。
【０００５】
しかしながら、近年、この待ち受け画面に様々な情報を表示させ、車載用電子機器の利便性や付加価値を高める試みがなされている（例えば、特許文献１参照）。待ち受け画面に表示させる情報としては、例えば、日付や時計等の一般的な情報や、車両の傾き具合、タイヤの空気圧又は車両にかかる加速度といった車両状態の情報がある。
【先行技術文献】
【特許文献】
【０００６】
【特許文献１】特開２０１２−１９４０１６号公報
【発明の概要】
【発明が解決しようとする課題】
【０００７】
しかしながら、日付や時計等の一般的な情報や車両状態の情報は搭乗日ごとに内容が大きく変化するものではないため、これらの情報に新鮮味を感じなくなったユーザが待ち受け画面にあまり目を向けなくなってしまう可能性も考えられる。そこで、搭乗日が他の日とは異なる特別な日であることを印象付けるような情報を表示してユーザに待ち受け画面に目を向けさせ、車載用電子機器の付加価値をいっそう高める必要があった。
【０００８】
本発明は、上記のような従来技術の問題を解決するために提案されたものであり、その目的は、ユーザに車両に搭乗したその日が他の日とは異なる個性を持つことを認識させ、搭乗するごとに新鮮味や驚きを感じさせることができるシステム等を提供することにある。
【課題を解決するための手段】
【０００９】
（１）本発明に係るシステムは、表示手段に情報を表示させるための制御を行うシステムにおいて、車両の搭乗日の日付と共に、前記搭乗日の個性情報を前記表示手段に表示させる制御を行う表示制御手段を有するものとした。
【００１０】
搭乗日の日付は無機質な情報に過ぎないが、日付と共にその日特有の個性情報を表示することによって、ユーザは搭乗したその日が他の日とは異なる個性を持つことを認識することができる。そのため、ユーザは、どの日も似たようなものとして漫然と車両に搭乗するのではなく、搭乗するごとに新鮮味や驚きを感じ、意識を引き締めて車両に搭乗することができるため、ひいては車両運転の安全性にも繋げることができる。
【００１１】
表示手段とは、例えば、車両の搭乗者が視覚的に認識できるものとするとよい。例えば、種々の車載用電子機器に適用させる観点から、表示部を表示画面とすると良い。車両の搭乗日の日付としては、例えば、現在の日付とするとよく、例えばバッテリーバックアップされたリアルタイムクロック等の現在日付生成手段から取得する構成とするとよい。ＧＰＳ、携帯電話網、あるいは、インターネット等を介して取得する構成とし、正確な現在日時を用いるようにするとなおよい。
【００１２】
搭乗日の個性情報は、例えば、プログラム中に組み込んでもよいし、ネットワークを介してサーバー等に備える記憶手段から取得するようにしてもよいが、特に車両内の機器に内蔵あるいは接続された記憶手段に記憶しておき、これを取得するようにしてもよい。
【００１３】
搭乗日の個性情報は、例えば、当該個性情報と当該個性情報を表示すべき日に関する情報とを関連付けて記憶した情報とするとよい。前記搭乗日の個性情報を前記表示手段に表示させる制御は、例えば、前記個性情報を表示すべき日に、現在日付生成手段から取得した現在日付が一致するものを抽出して、当該一致する日に関連付けて記憶された個性情報を表示させる制御とするとよい。個性情報を表示すべき日に関する情報は、例えば、特定の１日の日付情報としてもよいし、複数の異なる日の日付情報としてもよいし、ある範囲の日を示す日付情報としてもよい。
【００１４】
（２）搭乗日の個性情報として、例えば、搭乗日の他の日とは異なる特色を示す情報を備えると良い。これによって、個性情報を目にしたユーザに対して、搭乗日が他の日と異なる特別な日であることを印象付けることができる。
【００１５】
このような、搭乗日が他の日とは異なる特別な日であることをユーザに印象付けることができるような特色を示す情報として、例えば、カレンダーや時計のような日毎の変化を感得しにくい無機的な情報に対して、それを目にしたユーザが搭乗日に対して何らかの印象や感慨を有するような情報とすると良い。
【００１６】
搭乗日の他の日とは異なる特色として、搭乗日の他のすべての日と異なる特色である必要はなく、例えば、少なくともその前後近傍の日と異なる特色とすると良い。
【００１７】
搭乗日が他の日とは異なる特色を示す情報は、例えば、日単位で内容が変化する単独の情報で構成しても良く、あるいはそのような日単位で内容が変化する情報が複数組み合わさって構成しても良い。また、例えば、単体では日単位より長い期間で内容が変化するものを複数組み合わせて、搭乗日の他の日とは異なる特色を示す情報を構成しても良い。
【００１８】
（３）搭乗日の個性情報として、例えば、それぞれ内容の異なる複数の情報を備えると良い。これら複数の情報は、全てが１日単位で変化する情報である必要はなく、例えば、相互に異なる単位又は周期でそれぞれの内容が変化する複数の情報とすると良い。これによって、複数の情報の組み合わせが全体として搭乗日の他の日とは異なる個性を構成すると同時に、各情報によって季節の変化等の大きな時季的移り変わりもユーザに体感させることができる。
【００１９】
（４）前記搭乗日の個性情報として、例えば、搭乗日に関する六曜、二十四節気、七十二候、月の満ち欠け、月齢、潮の干満若しくは記念日の情報又はこれらの情報の組み合わせを備えると良い。これらの情報は、単なる日付のような無機質な情報とは異なり、それ自体に意味を含むものであるため、搭乗日の他の日とは異なる個性をユーザに感得させることができる。
【００２０】
例えば、六曜は各名称自体に意味が含まれるものである。また、二十四節気及び七十二候は、現在日付を示すために使用されているグレゴリオ暦と同様に暦の一種ではあるが、各日の名称季節の移ろいを感じさせるものである。月の満ち欠け、月齢及び潮の干満は、約２９日周期で日々変化していくものであり、時間の変化を感じさせるものである。
【００２１】
例えば、搭乗日が六曜の「大安」であれば、ユーザは搭乗日に縁起の良さを感じることができる。また、例えば、搭乗日が七十二候の「桜始開」であれば、ユーザは季節の移り変わりによる新鮮味を感じることができる。
【００２２】
記念日の情報も同様に、ユーザに対して搭乗日の特別な個性を感じさせることができる。記念日は、例えば、誕生日や結婚記念日等のユーザの個人的な記念日とすると良い。また、例えば、公的機関で制定される祝日等の記念日としても良い。また、例えば、企業や業界団体が日付の語呂合わせから作成した記念日としても良い。搭乗日が、例えば、語呂合わせで「風呂の日」という記念日に割り当てられていた場合は、思わぬ記念日の情報にユーザは意外性を感じることができる。
【００２３】
これらの情報は、それぞれが異なる単位又は周期でその内容が変化する情報の例でもある。例えば、六曜は１日単位で内容が変化し、その変化が６日周期で繰り返されるものである。七十二候は、５日単位で内容が変化し、その変化が１年周期で繰り返されるものである。月齢のように、１日単位で内容が変化し、その変化が約２９日周期で繰り返されるものである。記念日は、記念日自体が存在しない日もあるが、基本的に、１日単位で内容が変化し、その変化が１年周期で繰り返される。
【００２４】
記念日のような１日単位で内容が変化し、周期も長い情報は、例えば単独で搭乗日の他の日とは異なる特色を示す情報として用いても良く、それによって搭乗日のシンプルな個性を印象付けることができる。六曜、二十四節気、七十二候、月齢のような情報は、１日単位では内容が変化しない、又は周期が短い情報であるが、これらを組み合わせることによって、全体として搭乗日の他の日とは異なる特色を示す情報として構成しても良い。これらの情報の組み合わせが相乗効果を成し、搭乗日の奥深い個性を構成するだけでなく、二十四節気や七十二候等の個々の情報によって季節の大きな移り変わりも感じさせることができる。
【００２５】
また、これらの情報と共に、例えば、情報の内容を解説するコメントを表示しても良い。例えば、難解な名称もある七十二候の情報を表示する場合、例えば「水始涸」に対して「水が凍り始める」という解説コメントを表示することで、ユーザがその内容を理解しやすくなり、またユーザの知的好奇心も満足させることができる。また、このようなコメントは、ユーザがカスタマイズできるようにすると良い。
【００２６】
（５）搭乗日の個性情報として、例えば、複数の情報を組み合わせて用いる際は、これらの複数の情報を所定時間毎に切り換えて表示すると良い。これによって、多くの情報を表示することができ、またユーザも個々の情報を認識しやすくなる。また、画面に目をやるたびに新たな情報が表示されることで、ユーザは新鮮味を感じることもできる。また、車両は移動手段として用いられ、特に移動に時間を要する場合は、退屈になり、安全運転への意識も緩みがちである。しかしながら、例えば、車両の運転者が、信号待ちや渋滞等の車両の停止中に表示手段を見るたびに、搭乗日についての新たな情報を目にすることによって、リフレッシュ効果を得ることができ、意識を引き締めて安全運転をすることができる。また、同乗者も、表示手段に表示される情報が切り換わるたびに、運転者との会話のきっかけを得ることができ、運転者のリフレッシュを助けることができる。
【００２７】
（６）搭乗日の個性情報として、文字の情報も用いることができるが、例えば、搭乗日の特色を示す画像を用いても良い。画像を用いることによって、例えば、ユーザは搭乗日の個性を直感的に感得することができる。
【００２８】
（７）文字情報とその文字情報に対応する画像を表示手段に共に表示することによって、例えば、ユーザは搭乗日の個性情報を容易かつ明確に理解することができる。文字情報は、例えば、上述のように、搭乗日の六曜、二十四節気、七十二候、月の満ち欠け、月齢、潮の干満若しくは記念日の情報とすると良い。
【００２９】
文字情報に対応する画像として、例えば、文字情報の内容に深く結び付いた画像とすると良い。具体的には、例えば、文字情報が月齢である場合には、搭乗日の月の満ち欠けや月齢に対応する月の画像を表示すると良い。また、例えば、文字情報が七十二候であり、搭乗日の七十二候が「桜始開」である場合には、これに合わせて二分咲き程度の桜の画像を表示すると良い。また、個性情報が記念日であり、搭乗日の記念日が「風呂の日」である場合、これに合わせて露天風呂の画像を表示すると良い。
【００３０】
また、例えば、文字情報とその文字情報に対応する画像は、ユーザがカスタマイズ可能とすると良い。例えば、搭乗日の個性情報として、ユーザの結婚記念日の情報を表示する場合、文字情報として「今日は○○年目の結婚記念日です」とし、画像としてはユーザの結婚式の写真を表示すると良い。
【００３１】
（８）搭乗日の特色を示す画像が複数ある際は、例えば、これら複数の画像を所定時間毎に切り換えて表示すると良い。例えば、搭乗日の個性情報として、文字情報が複数ある場合には、それぞれの文字情報に対応する画像が複数用意されることもある。その場合は、例えば、表示制御手段はこれら複数の画像を所定時間毎に切り換えて表示すると良い。これによって、多くの画像を表示することができ、またユーザも個々の画像を認識しやすくなる。
【００３２】
また、車両は移動手段として用いられ、特に移動に時間を要する場合は、退屈になり、安全運転への意識も緩みがちである。しかしながら、例えば、車両の運転者が、信号待ちや渋滞等の車両の停止中に表示手段を見るたびに、搭乗日についての新たな情報を目にすることによって、リフレッシュ効果を得ることができ、意識を引き締めて安全運転をすることができる。さらに、画像であれば短い停車時間でも情報を認識しやすい。また、同乗者も、表示手段に表示される情報が切り換わるたびに、運転者との会話のきっかけを得ることができ、運転者のリフレッシュを助けることができる。なお、例えば、搭乗日に関する情報を所定時間毎に切り換えて表示している場合は、その切り換えタイミングに合わせてそれぞれの関連画像を表示させるようにしても良い。
【００３３】
（９）システムは、例えば、ユーザからのイベントの発生日の入力を受け付ける入力受付手段を更に有し、表示制御手段が、前記イベント発生日に対応する搭乗日に、搭乗日の個性情報として、イベントに関するメッセージを表示手段に表示させるようにすると良い。
【００３４】
これによって、ユーザの個人的な記念日を搭乗日の個性情報として登録することができ、ユーザに対して搭乗日が特別な日であることをより強く印象付けられる。また、例えば、重要な期限をイベント発生日として入力することで、システムを便利なリマインダーとして活用することができる。あるいは、例えば、ユーザの家族や恋人の記念日をイベント発生日として入力することによって、彼らへのサプライズ手段としても活用することができる。
【００３５】
イベントは、例えば、ユーザの個人的な記念となる行事や、期限のある重要な用事とすると良い。例えば、ユーザやユーザの身近な人間の誕生日、結婚記念日、運転免許の更新日、各種資格や会員の更新期限、車両の車検証の期限日又は任意保険の有効期限日とすると良い。
【００３６】
入力受付手段は、例えば、搭乗日の日付及び個性情報が表示される画面とは別個のイベント入力画面を表示手段に表示させ、ユーザからのイベント発生日とイベント種別の入力を受け付けると良い。入力は、例えば、車載用電子機器に設けられたボタン、表示手段に設けられたタッチパネル、又はリモコン等によって行うと良い。イベント入力画面では、イベント発生日及びイベントの種別の他にも、例えば、イベントに関連する人物の名前の入力部やイベントに関連するメッセージの選択部、又はオリジナルメッセージの入力部を設けても良い。
イベントに関するメッセージは、システムに予め登録されたメッセージであっても良く、あるいは、ユーザが入力したオリジナルのメッセージとしても良い。
【００３７】
前記イベントが誕生日である場合は、例えば、メッセージは「誕生日おめでとう」というようなお祝いの内容とすると良い。前記イベントとして免許更新日を入力させる場合は、例えば、メッセージは「運転免許の更新はお済みですか？」という注意喚起の内容とすると良い。
【００３８】
（１０）入力受付手段を、例えば、ユーザからイベントの種別の入力を受け付けるようにし、表示制御手段が、入力受付手段で入力されたイベントの種別に対応するメッセージを、前記イベント発生日に対応する搭乗日の個性情報として、表示手段に表示させるようにすると良い。これによって、イベントは誕生日や免許更新日等のその種類によって表示すべきメッセージの内容が大きく変わることもあるが、各種イベントの性質に沿った適切なメッセージを表示することができるので、高い利便性を提供することができる。
【００３９】
イベントの種別として、例えば、誕生日、結婚記念日、運転免許の更新日、各種資格若しくは会員の更新期限、車両の車検証の期限日又は任意保険の有効期限日といった複数種類のイベントを備え、これらのイベントの種類をシステムに予め登録しておくと良い。
【００４０】
イベントの種別の入力は、例えば、システムに予め登録された複数種類のイベントをイベント入力画面に表示し、その中からユーザが所望のイベントを選択することによって行うと良い。予め登録されたイベントの中に所望のものがなければ、例えば、ユーザによって新たな種類のイベントを登録できるようにすると良い。
【００４１】
イベントの種別に対応するメッセージとして、例えば、イベントの種類ごとに対応するメッセージを、システムに予め登録しておくと良い。ユーザのイベント種別の入力に応じて、例えば、予め登録されているメッセージから入力されたイベントの種類に対応するメッセージを呼び出し、イベント入力画面に表示すると良い。入力されたイベントに対応するメッセージが複数ある場合は、例えば、それらのメッセージをイベント入力画面に表示して、ユーザがその中から所望のメッセージを選択できるようにすると良い。
【００４２】
予め登録されたメッセージの中に所望のものがなければ、例えば、ユーザがオリジナルのメッセージ入力できるようにする良い。あるいは、予め登録されたメッセージをアレンジしたければ、例えば、ユーザが登録されたメッセージを編集できるようにすると良い。
【００４３】
また、イベント種別に応じて、例えば、メッセージの宛先となる人の名前を入力できるようにし、選択したメッセージにその名前を挿入できるようにすると良い。例えば、イベントがユーザと親しい者の誕生日であり、メッセージの宛先となる人の名前を入力した場合には、「○○さん、誕生日おめでとう」というメッセージとすると良い。
【００４４】
（１１）表示制御手段は、例えば、イベント発生日の所定期間前に、イベントに関するメッセージとして、イベント発生日を通知するメッセージを表示手段に表示させると良い。イベント発生日だけでなく、イベント発生日の所定期間前に、例えば１ヶ月前にイベント発生日を通知することによって、ユーザは例えば結婚記念日等のイベントに対してプレゼントを用意したりデートの計画を練る等の準備を入念に行うことができ、ユーザに高い利便性を提供し、また人間関係を円滑にする手助けをすることができる。
【００４５】
（１２）イベント発生日の所定期間前とは一回に限られず、１ヶ月前、１０日前、５日前、前日と、イベント発生日に近づくにしたがって短い間隔でメッセージを表示しても良い。間隔が短くなることで、イベント発生日の到来が近くなっていることを感覚的に理解し、イベントへの高揚感も得ることができる。なお、このような事前通知の要不要や事前通知の間隔は、イベント入力画面で設定できるようにしても良い。
【００４６】
（１３）表示制御手段は、例えば、イベント発生日にユーザが車両に搭乗しなかった場合に、次の搭乗日にイベント発生日の経過を反映したメッセージを表示するようにすると良い。イベント発生日にユーザが車両に搭乗しない可能性もあるが、その場合、次の搭乗日にイベント発生日の経過を反映したメッセージが表示することによって、例えば、ユーザはイベント発生日の経過に気付くことができ、利便性に優れている。
【００４７】
イベント発生日の経過を反映したメッセージは、例えば、イベント発生日が経過したことを通知するメッセージであると良い。イベントの種別が、例えば、車両の車検証の有効期限である場合は「車検証の有効期限が過ぎていますが、車検はお済みですか？」というメッセージとすると良い。
【００４８】
また、イベント発生日の経過を反映したメッセージは、例えば、イベント発生日に通知するはずであったメッセージに、経過による変更を加味したメッセージであると良い。イベントの種別が、例えば、誕生日である場合は「少し遅れたけど、誕生日おめでとう」というメッセージとすると良い。このようなメッセージは単なる定型のメッセージとは異なる温かみを持っているため、ユーザにシステムへの愛着を喚起することができる。
【００４９】
（１４）表示制御手段は、例えば、イベント発生日を基準日として、その前後に渡って設定される所定期間の開始前、期間内、期間終了後の少なくともいずれか１つの日に、イベントに関するメッセージを表示させると良い。これによって、例えば、運転免許更新等の、誕生日を基準にその前後１ヶ月に渡って更新可能な期間が設定されるようなイベントの場合、基準日だけでなく更新期間の内外で適時にメッセージを表示して、ユーザに運転免許更新期間を意識させ、運転免許更新を遺漏する可能性を低減させることができる。
【００５０】
所定期間は、例えば、イベントの種別に応じてシステムに予め期間を登録し、自動的に設定されるようにしても良く、あるいは、ユーザの入力によって任意の期間を設定できるようにしても良い。
【００５１】
メッセージを表示させる日として、所定期間の開始前の日とは、例えば、免許更新期間の開始日の１０日前として、ユーザが免許更新の事前準備ができるようにすると良い。所定期間内の日とは、例えば、免許更新の開始日、開始日より後で基準日より前の日、基準日より後で終了日より前の日、又は終了日として、ユーザに対して更新期間の経過を認識できるようにすると良い。所定期間終了後の日とは、例えば、更新期間の経過した次の日として、ユーザに免許更新が完了したか確認を促すようにすると良い。
【００５２】
イベントに関するメッセージは、例えば、単純にイベントや設定されている所定期間を知らせる画一的なものでも良いが、例えば、表示するタイミングによって内容を変化させても良い。これによって、例えば、ユーザにイベントへの準備を促したり、所定期間の終了が迫りつつあることに注意を促すことができる。
【００５３】
具体的には、例えば、免許更新期間の開始日の１０日前に表示するメッセージは「○月○日から免許更新期間が始まります。」とすると良い。また、例えば、開始日に表示するメッセージは「今日から×月×日まで免許の更新期間です。早めに更新に行きましょう」とすると良い。また、例えば、基準日や、更新期間内の基準日より後の日に表示するメッセージは「更新期間は残り△△日です。至急更新に行ってください。」とすると良い。また、例えば、終了日に表示するメッセージは「今日で更新期間が終了します。更新はお済みですか？」とすると良い。また、例えば、終了日の後の日に表示するメッセージは「更新期間は×月×日で終了しています。更新はお済みですか？」とすると良い。
【００５４】
また、例えば、免許更新期間内で免許の更新が済んだ場合には、入力受付手段はユーザの更新終了の入力を受け付け、表示制御手段はそれ以降のメッセージの表示を行わないようにしても良い。また、例えば、入力受付手段は、ユーザの更新終了の入力を受け付けると、次の免許更新期限を自動的に設定して、表示制御手段は次の免許更新期間において同様のメッセージ表示を行うようにしても良い。
【００５５】
（１５）イベントに関するメッセージは、直接表示手段に表示しても良いが、例えば、メッセージの存在を報知するボタンを設け、ユーザのボタン押下によって、メッセージを表示手段に表示させると良い。これによって、例えば、ユーザの所望のタイミングでメッセージを表示させてサプライズプレゼントの手段として使うことができ、ユーザにとって使い勝手が良い。具体的には、例えば、運転者であるユーザが、恋人の誕生日をイベント発生日として入力した場合、恋人を迎えに行って助手席に搭乗させたときにボタンを押下して、恋人の誕生日を祝うメッセージを表示させることで、恋人に驚きと喜びを与えることができる。
【００５６】
（１６）イベントに関するメッセージの存在を報知するボタンは、例えば、タッチパネルで操作する画像ボタンとし、イベント発生日において、ユーザのボタン押下が行われるまでは、表示手段上に常に表示しておくと良い。これによって、搭乗日の個性情報として複数の情報を所定時間毎に切り換えて表示手段に表示することもあるが、イベントに関するメッセージの存在を報知するボタンは常に表示させておくことで、例えば、ユーザがサプライズを行うタイミングを逃すことがなく、使い勝手が良い。
画像ボタンの表示場所としては、サプライズの実行や他の情報の表示の妨げにならないように、例えば、表示画面の隅に表示すると良い。
【００５７】
（１７）イベントに関するメッセージの存在を報知するボタンは、例えば、表示手段の近傍又はユーザが使用するリモコン機器に物理ボタンとして設けると良い。また、例えば、この物理ボタンをイベント発生日に発光させると良い。これによって、表示画面上にボタンが表示されていなくても、ユーザは確実にメッセージの存在を知ることができる。
【００５８】
ボタンは、表示手段の近傍として、例えば、車載用電子機器上の表示画面の周囲に設けると良い。また、ユーザが使用するリモコン機器として、例えば、車載用電子機器を操作するリモコンとすると良い。
【００５９】
（１８）搭乗日の日付と個性情報は、例えば、システムの初期画面又は待ち受け画面に表示させると良い。システムを、例えば、車載用電子機器に適用する場合、ユーザは車両に搭乗した際に車載用電子機器を起動することが多いため、初期画面に搭乗日の個性情報と交通事故レベル情報を表示することで、これらの情報がユーザの目につきやすくなる。
【００６０】
システムの初期画面は、例えば、システムを起動した際に表示される画面である。システムを、例えば、車載用電子機器に適用する場合は、車載用電子機器を起動し、車載用電子機器のメーカーロゴや安全上の注意等が表示された後に表示される画面とすると良い。
システムの待ち受け画面に搭乗日の個性情報を表示することで、システムが処理待ち状態の間、表示手段を有効活用することができる。
【００６１】
システムの待ち受け画面は、例えば、システムが処理待ち状態にあるときに表示される画面である。システムを、例えば、目標物検出装置に適用する場合は、目標物が周囲に存在しない待機中の状態で表示手段に表示される画面である。
【００６２】
なお、搭乗日の日付及び個性情報は、例えば、システムの初期画面と待ち受け画面の双方に表示しても良い。長い時間表示されることによってユーザに搭乗日の個性や、交通事故レベル情報がより強く印象付けることができる。
【００６３】
（１９）表示制御手段は、例えば、所定のアイテムの状態変化に応じた複数の画像を、所定時間ごとに切り換えて、搭乗日の個性情報と共に前記表示手段に表示させると良い。
【００６４】
これによって、所定のアイテムの状態変化に応じた複数の画像を搭乗日の個性情報と共に表示することで、ユーザを表示手段へ注目させ、搭乗日の個性情報に対する関心も高めることができる。また、アイテムの状態変化の画像は次の変化を予想させるものであるとよい。このようにすれば、その搭乗日だけでなく、次の搭乗日への楽しみも喚起させることができる。
【００６５】
アイテムは、例えば、現実世界において、建築、園芸、育成、工作、縫製といった行為によって、所定期間をかけて創作又は育成する物であると良い。そのようなアイテムとして、例えば、高層ビル、タワー又は橋等の建設アイテム、野菜や果物等の園芸アイテム、ペット等の育成アイテム、家具やロボット等の工作アイテム、又は人形や洋服等の縫製アイテムがあると良い。
【００６６】
アイテムの状態変化は、例えば、そのアイテムの創作開始から完成までとすると良い。アイテムの状態変化に応じた画像は、例えば、そのアイテムの創作初期から創作完了までを段階的に示す複数の画像であると良い。
例えば、アイテムがビルの建設アイテムであれば、建設前の地鎮祭、基礎工事、建設途中、建設完了と段階的に複数の画像があると良い。
【００６７】
アイテムは、例えば一種類であっても良いし、複数のアイテムからユーザが選択しても良い。アイテムの選択は、例えば、日付及び個性情報が表示される画面とは別個のアイテム選択画面を表示手段に表示させ、ユーザからのアイテムの選択を受け付けると良い。
画像を切り換える所定時間は、例えば、１日単位といった固定の時間としても良く、また、例えば車両の走行時間や走行距離に応じた可変の時間としても良い。
【００６８】
（２０）表示制御手段は、例えば、車両の走行時間又は走行距離に従って前記アイテムの状態変化に応じた複数の画像の切り換えを行うと良い。車両の走行時間や走行距離に従って画像が切り換えられ、アイテムの状態変化が進行することによって、例えば、ユーザは車両に搭乗する楽しみを感じることができる。
【００６９】
（２１）表示制御手段は、例えば、搭乗日の個性情報と共に、搭乗日の交通事故レベル情報を表示手段に表示させると良い。搭乗日の個性情報と共に、搭乗日の交通事故レベル情報を認識することによって、例えば、ただ表示しただけでは漫然と見過ごされがちな交通事故レベル情報を、ユーザに強く意識させ、ユーザの安全運転への意識を高めることができる。
【００７０】
（２２）搭乗日の交通事故レベル情報として、例えば、項目別の交通事故注意レベルと総合的な交通事故注意レベルとを表示すると良い。これによって、例えば、ユーザは搭乗日の注意レベルをひと目で把握すると共に、さらに項目別の詳細なレベルを確認することができる。項目別の交通事故注意レベルとして、例えば、月評価、曜日評価、時間帯評価、エリア評価、都道府県評価、速度評価を設けると良い。
【００７１】
項目別及び総合的な交通事故注意レベルは、例えば、過去の交通事故の発生件数を、所定条件で分類して相対値化した、交通事故発生レベル評価の点数から判定すると良い。所定条件は、例えば、月別、曜日別、時間帯別、エリア別又は速度別であると良い。これによって、信頼性の高い注意レベルの表示を行うことができる。
【００７２】
項目別の交通事故注意レベルは、例えば、それぞれの項目に対応する条件の過去の交通事故発生レベルの評価から、搭乗日の月、曜日、時間、現在位置に基づいて、該当する点数を抽出して、判定を行うと良い。また、総合的な交通事故発生レベルは、例えば、項目別に抽出した評価点数を合計して判定すると良い。あるいは、このような交通事故注意レベルを各搭乗日について予め算出しておき、記憶部に格納しても良い。
【００７３】
（２３）前記項目別の搭乗日の交通事故注意レベルと前記総合的な交通事故発生レベルとは、例えば、レベルに応じて異なる色で表示すると良い。これによって、ユーザは容易にレベルの高低を判断することができる。例えば、レベルが高い場合は赤、レベルが中程度の場合は黄、レベルが低い場合は緑で表示すると良い。
【００７４】
（２４）交通事故レベル情報も、個性情報と共に初期画面や待ち受け画面に表示することで、表示すると良い。これによって、車両の搭乗前や搭乗中にユーザに交通事故レベル情報を印象付け、安全運転を意識させることができる。
【００７５】
システムを、例えば、車載用電子機器に適用する場合、ユーザは車両に搭乗した際に車載用電子機器を起動することが多いため、初期画面で交通事故レベル情報を見ることで、安全運転を意識して運転を開始することができる。また、初期画面で交通事故レベル情報を見ることで、ユーザを引き締めて運転を開始することができる。また、渋滞等で車両が停止している間に待ち受け画面で交通事故レベル情報を見ることで、例えば、長い運転で気が緩んでいる場合に、改めて安全運転を意識して運転を再開することができる。
【００７６】
（２５）本発明のプログラムは、上記の（１）〜（２４）のいずれかに記載のシステムにおける表示制御手段としての機能をコンピュータに実現させるためのプログラムである。
【発明の効果】
【００７７】
本発明によれば、ユーザは車両に搭乗したその日が他の日とは異なる個性を持つことを認識することができる。そのため、ユーザは、どの日も似たようなものとして漫然と車両に搭乗するのではなく、搭乗するごとに新鮮味や驚きを感じることができる。これによって、システムを、例えば、車載用電子機器に適用した場合には、車載用電子機器の付加価値を高めることができる。また、ユーザは搭乗日の個性に新鮮味や驚きを感じると共に意識を引き締めて車両に搭乗することができるため、ひいては車両運転の安全性にも繋げることができる。
【図面の簡単な説明】
【００７８】
【図１】本発明の好適な一実施形態であるレーダー探知機の構成を示す図である。
【図２】レーダー探知機のブロック図である。
【図３】表示器の待ち受け画面の表示例を示す説明図である。
【図４】ＥＥＰＲＯＭに記憶されているカレンダーの一例を示す図である。
【図５】（ａ）はＥＥＰＲＯＭに記憶されている過去の事故発生レベルの評価を示す表であり、（ｂ）は項目別の交通事故注意レベルの評価を示す表であり、（ｃ）は総合的な交通事故注意レベルの評価を示す表である。
【図６】表示器の待ち受け画面の表示例を示す説明図である。
【図７】表示器の待ち受け画面の表示例を示す説明図である。
【図８】表示器の待ち受け画面の表示例を示す説明図である。
【図９】表示器の待ち受け画面の表示例を示す説明図である。
【図１０】表示器の待ち受け画面の表示例を示す説明図である。
【図１１】表示器のイベント入力画面の表示例を示す説明図である。
【図１２】表示器のイベント入力画面の表示例を示す説明図である。
【図１３】表示器のイベント入力画面の表示例を示す説明図である。
【図１４】表示器のイベント入力画面の表示例を示す説明図である。
【図１５】表示器のイベント入力画面の表示例を示す説明図である。
【図１６】表示器のメッセージ表示例を示す説明図である。
【図１７】表示器のメッセージ表示例を示す説明図である。
【図１８】レーダー探知機の別の構成例を示す図である。
【図１９】待ち受け画面の一例を示す説明図である。
【図２０】警告画面の一例を示す説明図である。
【発明を実施するための形態】
【００７９】
［電子機器の構成］
図１及び図２は、本発明のシステムを構成する電子機器として好適な一実施形態であるレーダー探知機１を示している。図１（ａ）は、レーダー探知機１の前面（車両後方（運転者側）に向く面）側の斜視図、図１（ｂ）は背面側の斜視図である。図２は、レーダー探知機１のブロック図である。
【００８０】
レーダー探知機１は、薄型矩形状のケース本体２を備え、そのケース本体２の背面側下方に取り付けられたブラケット３を用いて車両のダッシュボード上等に貼り付けて固定される。
【００８１】
ケース本体２の前面（車両後方（運転者側）に向く面）には、表示器５を備える。表示器５は、３．２インチのカラーＴＦＴ液晶ディスプレイで構成する。この表示器５上には、表示器５のどの部分がタッチされたかを検出するタッチパネル６を備える。また、ケース本体２の前面の右サイドには音量調整ボタン７が配置され、同左サイドには各種の作業用ボタン８が配置される。
【００８２】
ケース本体２の右側面には、着脱可能な記録媒体としてのメモリカード１１を装着するためのカード挿入口９を備え、ケース本体２内のカード挿入口９の内側にメモリカードリーダ１０が内蔵される。このカード挿入口９からメモリカード１１を挿入することで、そのメモリカード１１はメモリカードリーダ１０に装着される。メモリカードリーダ１０は、装着されたメモリカード１１に格納されたデータを内部に取り込む。より具体的には、メモリカード１１に格納されたデータは、新規な警報対象（ターゲット）の情報（経度・緯度等の位置情報、種別情報等）、及び新たな個性情報などの更新情報があり、その更新情報が制御部１８の制御により装置に内蔵されるデータベース１９に格納（ダウンロード）され、データ更新がされる。
【００８３】
データベース１９は、制御部１８のマイコン内あるいはマイコンに外付けした不揮発性メモリ（たとえばＥＥＰＲＯＭ）により実現できる。なお、データベース１９には、出荷時に地図データ、一定の警報対象に関する情報及び待ち受け画面に表示させる個性情報のデータが登録されており、その後に追加されたデータ等が上記のようにしてデータ更新される。
【００８４】
ケース本体２の背面側中央上方の内部にＧＰＳ受信器１３を配置し、さらにその横にマイクロ波受信器１４，無線受信器１５を配置する。ＧＰＳ受信器１３は、ＧＰＳ衛星からのＧＰＳ信号を受信し、現在位置（経度・緯度）情報を出力する。マイクロ波受信器１４は、速度測定装置から出射される所定周波数のマイクロ波を受信する。無線受信器１５は、飛来する所定周波数の無線を受信する。ケース本体２内の下方には、スピーカ１６も内蔵している。スピーカ口は、ケース本体２の底面に設けている。
【００８５】
ケース本体２の側面側下方には、ＤＣジャック１２を配置する。このＤＣジャック１２は、図示省略のシガープラグコードを接続するためのもので、そのシガープラグコードを介して車両のシガーソケットに接続されて電源供給を受け得るようにする。
【００８６】
ケース本体２の前面には、上記の表示器５に加えて、ランプ３１、リモコン受信器３２、赤外線通信機３４を配置している（図１では省略）。ランプ３１は、警報の種類・緊急度に応じて、種々の色で光って警告する。リモコン受信器３２は、赤外線によりリモコン（携帯機：子機）３３とデータ通信をし、本装置に対する各種の設定を行なう。赤外線通信機３４は、携帯電話機３５等の赤外線通信機を内蔵した通信装置との間で、データの送受を行なう。
【００８７】
また、ケース本体２内には、地磁気センサ３６、加速度センサ３７、気圧センサ３８及びリアルタイムクロック３９を備える。地磁気センサ３６は、地磁気を検出して北方向が進行方向に対してどの方向にあるかを検出するセンサである。加速度センサ３７は、車両の前後、左右、上下の加速度を検出するセンサである。リアルタイムクロック３９は、年、月、日、時、分、秒で表される現在時刻を計時する手段である。
【００８８】
また、本実施形態のレーダー探知機１は、車両に実装されているＯＢＤ−II（IIはローマ数字の「２」であり、以下「ＯＢＤ−II」を「ＯＢＤ２」と記す）コネクタに接続する接続ケーブル２２を備えている。この接続ケーブル２２の先端には、車両のＯＢＤ２コネクタに着脱自在に装着できるコネクタ端子２３が取り付けられている。ＯＢＤ２コネクタは、故障診断コネクタとも称され、車両のＥＣＵに接続され、各種の車両情報が出力される。
【００８９】
接続ケーブル２２の他端には、レーダー探知機１のケース本体２の側面に設けたソケット口２４と接続するためのコネクタ端子２５が設けられており、レーダー探知機１に対しても接続ケーブル２２を着脱できるようにしている。もちろん、接続ケーブル２２をレーダー探知機１に直接接続するようにしてもよい。
【００９０】
接続ケーブル２２に取り付けられたコネクタ端子２３と、車両本体側のＯＢＤ２コネクタとを連結することで、制御部１８は、各種の車両情報を０．５秒おきに取得する。この車両情報としては、例えば、車速、エンジン回転数、エンジン負荷率、スロットル度、点火時期、残り燃料の割合、インテークマニホールドの圧力、吸入空気量（ＭＡＦ）、インジェクション開時間、エンジン冷却水の温度（冷却水温度）、エンジンに吸気される空気の温度（吸気温度）、車外の気温（外気温度）、燃料タンクの残り燃料の量（残燃料量）、燃料流量、瞬間燃費、アクセル開度、ウインカー情報（左右のウインカーの動作（ＯＮ／ＯＦＦ））、ブレーキ開度、ハンドルの回転操舵角情報等がある。
【００９１】
制御部１８は、ＣＰＵ，ＲＯＭ，ＲＡＭ，不揮発性メモリ、Ｉ／Ｏ等を備えるコンピュータであり、上述した各部と接続され、各種の入力機器（タッチパネル６、ＧＰＳ受信器１３、マイクロ波受信器１４、無線受信器１５等）から入力される情報に基づき所定の処理を実行し、出力機器（表示器５，スピーカ１６等）を利用して所定の警報・メッセージを出力する。これらの基本構成は、基本的に従来のものと同様のものを用いることができる。例えば音声の出力は、音声のＰＣＭデータを、不揮発性メモリであるＥＥＰＲＯＭ上に記憶しており、制御部１８はこのＰＣＭデータを再生してスピーカ１６から音声を出力する。
【００９２】
本実施形態のレーダー探知機１における機能は、制御部１８であるコンピュータが実行するプログラムとして、制御部１８のＥＥＰＲＯＭ上に格納され、これを制御部１８が有するコンピュータが実行することで実現する。制御部１８が有するプログラムによってコンピュータが実現する機能としては、ＧＰＳログ機能、待ち受け画面表示機能、マップ表示機能、ＧＰＳ警報機能、レーダー波警報機能、無線警報機能などがある。
【００９３】
ＧＰＳログ機能は、制御部１８が１秒ごとにＧＰＳ受信器１３によって検出された現在位置をその検出した時刻および速度（車速）と関連づけて位置履歴として不揮発性メモリに記憶する機能である。この位置履歴は例えばＮＭＥＡ形式で記録する。
【００９４】
待ち受け画面表示機能は、所定の待ち受け画面を表示器５に表示する機能である。図１９（ａ）は、待ち受け画面の一例を示しており、ここではＧＰＳ受信器１３によって検出した自車両の速度、緯度、経度、高度を示している。
【００９５】
マップ表示機能は、図１９（ｂ）に示すように、ＧＰＳ受信器１３によって検出した現在位置に基づき、データベース１９にアクセスし、そこに記憶されている地図データを読み出して表示する機能である。また、マップ表示機能は、現在位置の周囲の警報対象をデータベース１９に記憶された位置情報に基づいて検索し、周囲に警報対象が存在する場合に地図上の該当する位置にその警報対象を示す情報（ターゲットアイコン１１２等）を重ねて表示する機能も備える。具体的な表示態様は、以下の通りである。
【００９６】
制御部１８は、表示器５のほぼ全面のメイン表示領域Ｒ１に、車両の進行方向が常に上を向くように地図を表示する。制御部１８は、メイン表示領域Ｒ１の下側中央が現在の自車位置になるように地図を表示するとともに、当該位置に自車アイコン１１１を表示する。
【００９７】
制御部１８は、メイン表示領域Ｒ１の上方側に設定されたステータスエリアＲ２に、ステータス情報を表示する。ステータスエリアＲ２に表示するステータス情報は、左から順に、現在時刻１２１（図では、「１５：１０」），ＧＰＳ電波受信レベル表示アイコン１２２（図では、長さの異なる３本の直線が平行に起立した最大受信レベル），駐車禁止エリアアイコン１２３（駐車最重点エリア，駐車重点エリア内のときに表示），レーダーの受信感度を示す受信感度モード表示アイコン１２４（図では、最高感度の「ＳＥ」）、車両速度１２５（図では「３０ｋｍ／ｈ」）、方位磁針１２６となっている。ステータスエリアＲ２は、透明な領域とし、メイン表示領域Ｒ１のレイアよりも上のレイアを用いて配置する。これにより、ステータスエリアＲ２内でも、ステータス情報が表示されていない場所では、下側に位置する地図が視認できる。
【００９８】
制御部１８は、メイン表示領域Ｒ１の左サイドに設定されるスケール表示領域Ｒ３に、現在のスケール情報（縮尺）を表示する。スケールは、自車位置を０ｍとし、その自車位置からメイン領域Ｒ１の上下方向の中間位置までの距離（図では「５００」）と、上方位置までの距離（図では「１０００」）を表示する。単位は、「ｍ」である。制御部１８は、メイン表示領域Ｒ１が２回連続してタッチされたことを検知すると、メイン表示領域Ｒ１内の所定位置（スケール表示領域Ｒ３に添う位置）に地図スケール変更ボタンを表示し（図示省略）、その地図スケール変更ボタンに対するタッチに応じて地図スケールを変更する。つまり、制御部１８は、変更した地図スケールの縮尺に合わせてメイン表示領域Ｒ１に表示する地図の縮尺を変更すると共に、スケール表示領域Ｒ３に表示するスケール情報も変更する。
【００９９】
図１９（ａ）に示すような待ち受け画面表示機能実行中に、表示器５への１回のタッチを検知した制御部１８は、メニュー画面を表示する。そのメニュー画面中に用意された画面切り替えボタンがタッチされたことを検知した制御部１８は、図１９（ｂ）に示すようなマップ表示機能に切り替える。同様にマップ表示機能実行中に表示器５への１回のタッチを検知した制御部１８は、メニュー画面を表示する。そのメニュー画面中に用意された画面切り替えボタンがタッチされたことを検知した制御部１８は、待ち受け画面表示機能に切り替える処理を行う。
【０１００】
制御部１８は、待ち受け画面表示機能、マップ表示機能（以下これらの機能を総称して待受機能と称する）の実行中に、発生したイベントに応じて、ＧＰＳ警報機能、レーダー波警報機能、無線警報機能等の各機能を実現する処理を実行し、当該機能の処理終了時には元の待受機能の処理に戻る。各機能の優先度は、高いほうから、レーダー波警報機能、無線警報機能、ＧＰＳ警報機能の順に設定している。
【０１０１】
ＧＰＳ警報機能は、制御部１８に有するタイマーからのイベントにより所定時間間隔（１秒間隔）で実行される処理である。この処理は、データベース１９に記憶された警報対象の緯度経度とＧＰＳ受信器１３によって検出した現在位置の緯度経度から両者の距離を求め、求めた距離が所定の接近距離になった場合に、表示器５に図２０（ａ）に示すような警報画面であるＧＰＳ警報表示１３０（警報対象の模式図・残り距離等）を表示し、スピーカ１６から警報対象に接近した旨を示す接近警告の音声を出力する処理である。
【０１０２】
こうした警報対象としては、居眠り運転事故地点、速度測定装置（レーダー式、ループコイル式、Ｈシステム、ＬＨシステム、光電管式、移動式等）、制限速度切替りポイント、取締エリア、検問エリア、駐禁監視エリア、Ｎシステム、交通監視システム、交差点監視ポイント、信号無視抑止システム、警察署、事故多発エリア、車上狙い多発エリア、急／連続カーブ（高速道）、分岐／合流ポイント（高速道）、ＥＴＣレーン事前案内（高速道）、サービスエリア（高速道）、パーキングエリア（高速道）、ハイウェイオアシス（高速道）、スマートインターチェンジ（高速道）、ＰＡ／ＳＡ内ガソリンスタンド（高速道）、トンネル（高速道）、ハイウェイラジオ受信エリア（高速道）、県境告知、道の駅、ビューポイントパーキング等があり、これらの目標物の種別情報とその位置を示す緯度経度情報と表示器５に表示する模式図または写真のデータと音声データとを対応付けてデータベース１９に記憶している。
【０１０３】
図２０（ａ）は、レーダー波警報機能の表示例を示している。このレーダー波警報機能は、マイクロ波受信器１４によって速度測定装置（移動式レーダー等（以下、単に「レーダー」と称する））から発せられる周波数帯のマイクロ波に対応する信号が検出された場合に、表示器５に対して警報画面であるＧＰＳ警報表示１３１を表示するとともに、スピーカ１６から警報音を出力する警報機能である。例えば、レーダーの発するマイクロ波の周波数帯のマイクロ波がマイクロ波受信器１４によって検出された場合に、図２０（ｂ）に示すように、データベース１９に記憶されたレーダーの模式図または写真を表示器５に警報画面として表示するとともに、データベース１９に記憶された音声データを読み出して『レーダーです。スピード注意。』という音声をスピーカ１６から出力する。表示する距離は、例えば、電界強度から推定した距離とするとよい。
【０１０４】
無線警報機能は、無線受信器１５によって、緊急車両等の発する無線電波を受信した場合に、その走行等の妨げとならないよう、警報を発する機能である。無線警報機能においては、取締無線、カーロケ無線、デジタル無線、特小無線、署活系無線、警察電話、警察活動無線、レッカー無線、ヘリテレ無線、消防ヘリテレ無線、消防無線、救急無線、高速道路無線、警備無線等の周波数をスキャンし、スキャンした周波数で、無線を受信した場合には、データベース１９に無線種別ごとに記憶されたその周波数に対応する無線を受信した旨の模式図を警報画面として表示器５に表示するとともに、データベース１９に無線種別ごとに記憶された音声データを読み出して、スピーカ１６からその無線の種別を示す警報音声を出力する。たとえば、取締無線を受信した場合には『取締無線です。スピード注意。』のように音声を出力する。
【０１０５】
［待ち受け画面表示機能］
制御部１８はまた、各種の入力機器から情報の入力又はユーザからの入力が行われていないとき、すなわち待ち受け状態においては、表示器５に待ち受け画面を表示させる。制御部１８は、ＥＥＰＲＯＭ上に記憶されている、各搭乗日の個性情報を抽出し、所定の待ち受け画面のフォーマットに組み込んで、搭乗日特有の待ち受け画面として出力する。
【０１０６】
図３に、そのような搭乗日の個性情報が表示された待ち受け画面の一例を示す。図３に示す待ち受け画面５０は、大別して上段領域Ｒ１と下段領域Ｒ２に分かれ、それぞれに個性情報を表示している。
【０１０７】
上段部分には、まず、搭乗日の日付情報５１として、「2011 3/26 SAT 17:58」と表示している。搭乗日の日付情報には、年、月、日、曜日及び時間が含まれる。制御部１８は、リアルタイムクロック３９で計時される年、月、日、時、分、秒で表される現在時刻を取得し、ＥＥＰＲＯＭ上に記憶された、後述するカレンダー４０（図４）を参照して曜日を取得し、これらを日付情報５１として待ち受け画面５０に表示させる。
【０１０８】
次に、搭乗日の日付情報５１の横に、搭乗日の個性情報の一つとして、搭乗日の六曜５２を表示している。六曜は、先勝、友引、先負、仏滅、大安及び赤口の６種からなり、各曜に特有の吉凶が定められている。したがって、日付情報５１のような無機質な情報と比べて、搭乗日に対して何らかの印象や感慨を有することができる。図３では、一例として六曜の「大安」を表示しているが、大安は六曜の中で最も縁起の良い日とされる。したがって、大安というその搭乗日の個性情報を目にしたユーザは、搭乗日の、少なくともその前後近傍の日とは異なる特色を感得することができる。
【０１０９】
待ち受け画面５０の日付情報５１及び六曜５２の下には、搭乗日の個性情報の一つとして、搭乗日の七十二候５３を表示している。七十二候は中国で考案された暦の一種で、１年を２４等分した二十四節気の各節気を、さらに初候・次候・末候という５日ごと３等分したものである。各候には天候、気温及び動植物の変化を知らせる名称が付けられている。例えば、二十四節気「立春」の初候は「東風解凍（東風が厚い氷を解かし始める）」という名称が付けられている。また、例えば二十四節気「夏至」の次候は「菖蒲華（あやめの花が咲く）」という名称が付けられている。このような七十二候の名称から、ユーザは搭乗日における季節の移り変わりを感得することができる。
【０１１０】
図３では、一例として、七十二候５３の「桜始開」を表示している。七十二候の名称は単独では理解が難しいものが多いため、ユーザが理解しやすいように、簡単な説明を共に表示させると良い。図３では、「桜始開」の隣に「桜が咲き始める頃とされます」という説明文を表示している。七十二候の名称と説明文が一体的に把握しやすいように、これらの情報を四角い枠で囲って表示している。
【０１１１】
図３では、文字情報として表示された七十二候５３の右側に、七十二候に対応する画像５４を表示している。具体的には、七十二候の「桜始開」に対応した桜の花の画像を表示している。桜の花の画像は、「桜が咲き始める頃」を意味する「桜始開」と深く結び付いた画像であるため、ユーザは「桜始開」の意味を容易かつ明確に理解することができる。
【０１１２】
搭乗日の個性情報となる六曜５２及び七十二候５３の情報は、図４に示すように、ＥＥＰＲＯＭ上にカレンダー４０の形式で記憶している。すなわち、個性情報を表示すべき日の年月日に関する情報と関連付けて、六曜５２と七十二候５３の情報、及び七十二候に関連する画像５４とを記憶している。
【０１１３】
制御部１８は、リアルタイムクロック３９から現在日付を取得し、ＥＥＰＲＯＭに記憶されているカレンダー４０を参照して、現在日付に対応する日、すなわち個性情報を表示すべき日の情報である日付及び曜日と、六曜５２及び七十二候５３とを抽出し、これらの情報を待ち受け画面のフォーマットに組み込んで表示器５に待ち受け画面５０として表示させる。
【０１１４】
ここで、図３に戻り、待ち受け画面５０の下段領域Ｒ２には、個性情報の一例として、搭乗日の交通事故レベル情報５７を表示し、搭乗日の個性を意識させるとともに、ユーザの安全運転への注意を喚起している。
【０１１５】
図３の例において、交通事故レベル情報５７は、搭乗日の総合的な交通事故注意レベル５８ａと、項目別の交通事故発生レベル５９と、解説文５８ｂから構成している。搭乗日の交通事故注意レベル５８ａは、最初にユーザの目に入るように下段領域Ｒ２の上側に配置している。解説文５８ｂはその隣に配置している。さらに項目別の交通事故発生レベル５９は下段領域Ｒ２の下側に配置している。すなわち、搭乗日の総合的な交通事故注意レベル５８をまず見たユーザが、さらに解説文５８ｂ及び詳細な項目別の交通事故発生レベル５９に目を移すことで、容易且つ正確にデータを把握できるようになっている。
【０１１６】
総合的な交通事故注意レベルは、レベルの高さに応じて三段階で表示し、ユーザがひと目で交通事故注意レベルを把握できるようになっている。より具体的には、「事故注意レベル」の文字の右隣に配置された矩形が、交通事故注意レベルが第一判定レベルよりも低ければ緑色、中程度（第一判定レベルより高く設定した第二判定レベルと、第一判定レベルとの間）であれば黄色、第二判定レベルよりも高ければ赤色で表示する。図３では中程度の緑色の矩形が表示されている。
【０１１７】
待ち受け画面５０の下段領域Ｒ２の下側に配置される項目別の交通事故発生レベル５９は、図３の例では、月評価５９ａ、曜日評価５９ｂ、時間帯評価５９ｃ、エリア評価５９ｄ、都道府県評価５９ｅ及び速度評価５９ｆという６つの項目を設けている。
【０１１８】
項目ごとにそれぞれの交通事故発生レベルを表示するインジケータを配置している。具体的には、インジケータは縦長の矩形であり、矩形の下方から上方に向かって着色されたバーの面積が増加していくことによって交通事故注意レベルが高くなることが表現される。同時に、交通事故注意レベルに応じてバーの色も変化する。
【０１１９】
具体的には、交通事故注意レベルが低ければ緑色、中程度であれば黄色、高ければ赤色でバーが表示される。図３の例では、レベルが低い曜日評価５９ｂ及び都道府県評価５９ａは緑色で着色され、レベルが中程度の月評価５９ａ及び速度評価５９ｆは黄色で着色され、かつレベルが高い時間帯評価５９ｃは赤色で着色されている。ユーザは色によってレベルの高低をひと目で把握し、さらにインジケータの着色部分の面積によって詳細なレベルを把握することができる。
【０１２０】
解説文５８ｂは、搭乗日の事故注意レベルを解説する文章を表示している。図３では、「事故注意レベルは中程度ですが事故が多い月です。ご注意下さい。」という文章を表示している。すなわち、総合的な交通事故注意レベル５８ａを解説した上で、項目別の交通事故注意レベル５９の中の特筆すべき点について解説する内容となっている。
【０１２１】
上述した、各項目の交通事故注意レベル５９ａ〜５９ｆは、図５（ａ）に示すような、交通事故発生レベルの評価表から、制御部１８が搭乗日の条件に該当する点数を抽出して表示したものである。この交通事故発生レベルの評価表は、ＥＥＰＲＯＭ上に記憶されている。交通事故発生レベルの評価表は、過去の交通事故の発生件数を、表の１．〜６．に示す条件で分類して相対値化し、点数を算出することにより作成されている。表の１．〜６．に示す条件は、それぞれ項目５９ａ〜５９ｆに対応している。以下に、表の１．〜６．の諸条件について説明する。
【０１２２】
１．月による事故レベル評価
１月〜１２月の各月における事故発生件数を相対値化して、各月の評価点数としたものである。
【０１２３】
２．曜日による事故レベル評価
日曜日〜土曜日の各曜日における事故発生件数を相対値化して、各曜日の評価点数としたものである。
【０１２４】
３．時間帯による事故レベルの評価
０時〜２４時の２時間毎における交通事故発生件数を相対値化して、各時間帯の評価点数としたものである。
【０１２５】
４．事故多発エリア内の事故レベル評価
国土交通省や警察庁が公開している事故多発エリアにおいては点数５を加算する。
【０１２６】
５．人口１０万人当たりの事故レベル評価
各都道府県における人口１０万人当たりの事故発生件数を算出し、発生件数順位１０位ごとに、１〜５の点数を付けたものである。発生件数が多いほど、点数は高くなる。
【０１２７】
６．スピードによる事故レベル評価
一般道と高速道それぞれにおいて、時速を二段階に分け、それぞれに評価点数をつけたものである。具体的には、一般道においては、時速６０ｋｍ〜６９ｋｍは２．５点、時速７０ｋｍ以上では５点の評価となる。高速道においては、時速１０５ｋｍ〜１２０ｋｍは２．５点、時速１２１ｋｍ以上は５点の評価となる。
【０１２８】
制御部１８は、上記１．〜６．の評価表から、搭乗日の条件に該当する評価点数を抽出する。図３に表示した例では、以下の条件で評価点数が抽出されている。
表１．（月）：３月    表２．（曜日）：土曜日    表３．（時間帯）：１６時〜１８時
表４．（エリア）：事故多発エリア外    表５．（都道府県）：ワースト３２位の県
表６．（速度）：高速道路１１０ｋｍ／ｈ
【０１２９】
具体的には、表１．についてはリアルタイムクロック３９で取得した現在の月に該当する評価点数を抽出する。表２．については、カレンダー４０で取得した現在の曜日に該当する評価点数を抽出する。表３．についてはリアルタイムクロック３９から取得した現在の時刻に該当する時間帯の評価点数を抽出する。表４．については、ＧＰＳ受信器１３から取得した現在位置が事故多発エリアに該当する場合は、点数５を抽出する。表５．については、ＧＰＳ受信器１３から取得した現在位置が所在する都道府県の評価点数を抽出する。表６．については、ＧＰＳ受信器１３から取得した、現在位置から高速道及び一般道の種別を判定し、さらに加速度センサ３７から取得した車両の時速に該当する評価点数を抽出する。
【０１３０】
次に、抽出した各項目の評価点数について、制御部１８はレベルの判定を行う。具体的には、図５（ｂ）に示す個別のレベル評価表に従って、レベルの大・中・小を判定する。この個別のレベル評価表は、ＥＥＰＲＯＭ上に記憶されている。評価点数が４〜５の場合はレベル大と判定し、評価点数２．１〜３．９の場合はレベル中と判定し、評価点数１〜２の場合はレベル小と判定する。
【０１３１】
制御部１８は、各項目５９ａ〜５９ｆについて、抽出した評価点数に応じてインジケータの着色部分の面積を増減させ、さらに判定したレベルの大・中・小に応じた色で着色して、待ち受け画面５０に表示させる。
【０１３２】
制御部１８はさらに、抽出した各項目５９ａ〜５９ｆの評価点数を総合し、総合点についてレベルの判定を行う。具体的には、図５（ｃ）に示す総合的なレベル評価表に従って、レベルの大・中・小を判定する。この総合的なレベル評価表も、ＥＥＰＲＯＭ上に記憶されている。評価点数が２１〜３０の場合はレベル大と判定し、評価点数が１１〜２０の場合はレベル中と判定し、評価点数が１〜１０の場合はレベル小と判定する。
【０１３３】
制御部１８は、判定したレベルの大・中・小に応じた色で、総合的な事故注意レベル５８ａを待ち受け画面５０に表示させる。さらに、判定したレベルに応じた解説文５８ｂを生成し、待ち受け画面５０に表示させる。
【０１３４】
このように、制御部１８が表示器５に表示させる待ち受け画面５０の一例を説明したが、制御部１８は、多くの個性情報がユーザの目に触れるように、所定時間毎、例えば約２０秒毎に表示器５に表示させる個性情報を切り換える。
【０１３５】
図６に、待ち受け画面５０に表示させる個性情報の別の例として、搭乗日の月の満ち欠け５５ａ、月齢５５ｂ、潮の干満５５ｃ及び月の画像５５ｄを示している。月の満ち欠け、月齢及び潮の干満は、約２９日周期で日々変化していくものであり、時間の変化を感じさせるものである。
【０１３６】
月の満ち欠け５５ａは、新月、上弦、満月及び下弦の４種類があり、約２９日周期で変化する。図６の例では下弦が表示されている。
【０１３７】
月齢５５ｂは、月と太陽の視黄経が等しい時刻からの経過時間を表したもので、月の満ち欠けと概ね連動して、およそ０〜２９まで日単位で変動する。図６の例では月齢２１．３が表示されている。
【０１３８】
潮の干満５５ｃは、海水面の高さの変化を表し、大潮・中潮・小潮・長潮・若潮の５種類がある。月の満ち欠け５５ａと概ね連動し、約２９日周期で変化する。図６の例では中潮が表示されている。
【０１３９】
月の画像５５ｄは、表示されている月齢５５ｂに対応する月の画像である。図６の例では、月齢２１．３に対応する下弦の月が表示されている。
【０１４０】
図７に、待ち受け画面５０に表示させる個性情報の別の例として、記念日情報５６ａ及び記念日の画像５６ｂを示している。記念日情報５６ａは、公的機関で制定される祝日等の記念日や、企業や業界団体が日付の語呂合わせから作成した記念日の情報が表示される。図７の例では、「２６（フロ）」の語呂合わせから、毎月２６日と定められている「風呂の日」の情報として、「今日は語呂合わせで、風呂の日です。」という文字情報が表示されている。
【０１４１】
記念日の画像５６ｂは、記念日情報５６ａに表示されている記念日に関連する画像である。図７の例では、記念日「風呂の日」に関連する露天風呂の写真が表示されている。
【０１４２】
月の満ち欠け５５ａ、月齢５５ｂ、潮の干満５５ｃ、月の画像５５ｄ，記念日情報５６ａ及び記念日の画像５６ｂのデータは、六曜５２や七十二候５３のデータと同様に、ＥＥＰＲＯＭ上にカレンダー４０の形式で記憶されている。
【０１４３】
図８には、待ち受け画面５０に、搭乗日の個性情報と共に、アイテム画像６０を表示させる例を示している。アイテム画像６０は、所定のアイテムの状態変化をイラスト又は写真で表現した画像である。図８の例では、園芸アイテムであるマーガレットの成長をイラストで表示している。
【０１４４】
アイテム画像６０のデータはＥＥＰＲＯＭ上に記憶されているが、一つのアイテムについて状態が段階的に変化する複数枚の画像が用意され、それらが所定時間毎に切り換わって表示されることにより、アイテムの状態変化を表現する。
【０１４５】
図８の例に示すマーガレットの場合は、種蒔き、発芽、成長、蕾、そして開花までの各状態を示す画像が用意されている。図８（ａ）は二葉が生えた状態のイラストである。図８（ｂ）は、蕾がついた状態のイラストである。図８（ｃ）は、開花状態のイラストである。この他にも、四葉になった状態や葉が生えて茎が伸びた状態等、細かい状態変化を描写したイラストが複数用意されている。
【０１４６】
図９には、待ち受け画面５０に表示させるアイテム画像６０の別の例として、建設アイテムである高層ビルの画像を表示している。図９（ａ）では、高層ビル建設の初期段階である、地鎮祭の様子を示す画像を表示している。図９（ｂ）では、高層ビル建設の完了段階である、完成した高層ビルの画像が表示されている。この他にも、基礎工事を行っている画像や、壁面塗装を行っている画像等、細かい状態変化を示す画像が複数用意されている。
【０１４７】
上述した園芸アイテムや建設アイテムの画像は、日単位又は時間単位で切り換える。あるいは、走行時間が所定時間を超えるごとにイラストの切り換えを行う。また、実際の栽培や建設にかかる時間に応じて切り換える。長時間を要するアイテム、例えば高層ビルの建設であれば、現実の１時間で１０日が経過する設定とし、全体として約半年程度に短縮表示する。マーガレットの栽培についても、現実の１時間で半日が経過する設定とし、短縮表示する。あるいは、走行距離が所定距離を超えることにイラストの切り換えを行う。高層ビルの建設であれば、５０ｋｍ走行するごとに１日が経過し、マーガレットの栽培であれば１０ｋｍ走行するごとに１日が経過するようにする。
【０１４８】
ＥＥＰＲＯＭ上には、上述したマーガレットや高層ビルに加えて、様々なアイテム画像６０が記憶されている。ユーザは、記憶されているアイテムから、待ち受け画面に表示させるアイテムを選択することができる。
【０１４９】
図１０（ａ）に示すように、表示させるアイテムが選択されていない状態では、待ち受け画面５０にはアイテム画像６０は表示されず、代わりに「アイテムボタンを押してアイテムを選択し、開始してください。」というユーザにアイテム設定を促すメッセージ６４が表示されている。
【０１５０】
メッセージ６４の下部には、アイテム選択ボタン６１が表示されている。ユーザがタッチパネル６を介してアイテム選択ボタン６１を選択すると、制御部１８はメッセージ６４に代えて、図１０（ｂ）に示すアイテムリスト６５を待ち受け画面５０に表示させる。
【０１５１】
アイテムリスト６５には、ＥＥＰＲＯＭ上に記憶されているアイテムが記載されている。図１０（ｂ）の例では、建設アイテムとして「高層ビル」、「タワー」及び「橋」が表示され、「園芸アイテム」として「マーガレット」、「バラ」、「トマト」、「キュウリ」及び「ナス」が表示されている。
【０１５２】
ユーザがいずれかのアイテムを選択して、さらにアイテム選択ボタン６１の右隣に表示されているアイテム表示開始ボタン６２を選択すると、待ち受け画面５０において選択されたアイテム画像６０の表示が開始される。
【０１５３】
具体的には、制御部１８が、ＥＥＰＲＯＭ上に記憶されている選択されたアイテムの画像を取得し、待ち受け画面５０に表示させる。各アイテムには状態変化の段階に応じて複数の画像が用意されているが、それぞれの画像について表示の順番及び表示時間の情報もＥＥＰＲＯＭに記憶されている。制御手段は表示の順番の情報に基づいて、まず１番目の画像を取得して待ち受け画面５０に表示させる。さらに制御手段は、リアルタイムクロック３９から時間を取得し、１番目の画像の表示時間が経過すると、２番目の画像をＥＥＰＲＯＭから取得し、１番目の画像に代えて待ち受け画面５０に表示させる。３番目以降の画像も、表示の順番及び表示時間の情報に基づいて順次表示させていく。
【０１５４】
ユーザがアイテム画像６０の表示を停止したい場合は、アイテム表示開始ボタン６２の右隣に表示されているアイテム表示リセットボタン６３を選択する。制御部１８はアイテム画像６０の表示を停止し、代わりにアイテム設定を促すメッセージ６４を待ち受け画面に表示させる。
【０１５５】
［イベントメッセージ表示機能］
上記では、予めＥＥＰＲＯＭ上に記憶されている個性情報を待ち受け画面５０に表示させる機能を説明したが、個性情報には、ユーザによって入力された、搭乗日に発生するユーザの個人的なイベントの情報も含まれる。制御部１８は、そのようなユーザの個人的なイベントの入力を受け付け、その情報をＥＥＰＲＯＭ上に記憶させる。さらに、イベントが発生する搭乗日において、そのイベントに関するメッセージを搭乗日の個性情報として表示器５に表示させる。
【０１５６】
（イベントの入力）
まず、イベントの入力操作について説明する。レーダー探知機１のメニュー画面（不図示）には、イベント入力ボタンが設けられており、ユーザがイベント入力ボタンを選択することでイベント入力モードに移行する。イベント入力モードにおいて、制御部１８が表示器５に各種のイベント入力画面を表示させる。各種のイベント入力画面において、制御部１８はイベントの種別や発生日等の様々な情報の入力をユーザから受け付ける。すなわち、制御部１８はイベント入力受付手段として作用する。
【０１５７】
具体的には、まず、図１１に示すように、イベント種別の入力を受け付けるタイトル選択画面７０を表示させる。タイトル選択画面７０の中央部分には、それぞれにイベントの名称を記載したボタン７０ａ〜７０ｆが表示されている。
【０１５８】
イベント種別を示すボタン７０ａ〜７０ｆのうち、運転免許証７０ａは、運転免許証の更新期限日を意味する。車検証７０ｂは車両の車検証の期限日を意味する。資格７０ｃは各種資格や会員の更新期限の更新期限日を意味する。任意保険証７０ｄは、自賠責保険や損害保険等の各種任意保険証の有効期限日を意味する。誕生日７０ｅはユーザやユーザの身近な人間の誕生日を意味する。その他７０ｆは、上述したイベント種別の他に、ユーザが任意で入力するイベント発生日を意味する。
【０１５９】
ユーザがボタン７０ａ〜７０ｆのいずれかを選択し、さらにタイトル選択画面７０の下部右側に表示されている決定ボタン７６を選択すると、イベント種別が決定され、続いてそれぞれのイベントに応じた詳細入力画面に遷移する。なお、選択したボタン７０ａ〜７０ｆを取り消す場合には、ユーザは画面下部左側に表示されている、戻るボタン７５を選択する。
【０１６０】
なお、このイベント種別を示すボタン７０ａ〜７０ｆは、ユーザにとってわかりやすい名称に変更することもできる。あるいは、ユーザが任意の名称のボタンを新たに追加することもできる。
【０１６１】
タイトル選択画面７０において運転免許証７０ａが選択された場合は、制御部１８は、続いて、図１２に示す運転免許証有効期限入力画面７１（以降、単に有効期限入力画面７１ともいう）を表示させる。
【０１６２】
運転免許証の更新は、有効期間満了年の誕生日の１ヶ月前から誕生日の１ヵ月後までの間の２ヶ月の更新期間内に行わなくてはならない。そのため、有効期限入力画面７１の中央部には、この運転免許証の有効期間を適切に表示するための入力欄７１ａ〜７１ｃが設けられている。
【０１６３】
有効期限入力画面７１の上部にはまず、更新期間の開始日である更新日入力欄７１ａが設けられている。更新日入力欄７１ａの下には、更新期間の終了日である満了日入力欄７１ｂが設けられている。
【０１６４】
さらに、満了日入力欄７１ｂの下には、次回の更新までの有効期間を入力する次回有効期間入力欄７１ｃが設けられている。運転免許証は、グリーン免許、ブルー免許及びゴールド免許の種類があり、それぞれ有効期間が３年または５年と異なっている。次回有効期間入力欄７１ｃに、免許証の種類に応じた有効期間を入力することによって、次回の更新期間についてはユーザが更新日及び満了日を入力しなくても、制御部１８が次回有効期間から適切な更新期間を算出して、メッセージを表示させる。
【０１６５】
なお、有効期限入力画面７１の上部右側には、ページ数７１ｅが表示され、さらにその左隣にページ送りボタン７１ｄが表示されている。図１２の例では総ページ数が２ページであることが表示されている。この場合は、ページ送りボタン７１ｄの操作によって、ページを移動することができる。
【０１６６】
有効期限入力画面７１における具体的な入力操作を、更新日入力欄７１ａを例にとって説明する。まず、ユーザが欄の左側に表示された「更新日」ボタンを選択すると、制御部１８は、図１３に示す文字入力画面７２を表示させる。
【０１６７】
文字入力画面７２の画面中央部分には、ひらがな５０音、濁点、半濁点及びアラビア数字０〜９を含む文字キー７２ａが配列されている。ユーザが入力キー７２ａを選択することで、文字が入力される。なお、文字には数字が含まれる。
【０１６８】
画面の上部には、ユーザが入力した文字が表示される文字表示バー７２ｂが設けられており、ユーザは入力した文字を確認することができる。
【０１６９】
更新日の年月日を入力する場合、図示していないが、文字入力画面７２には、まず「年を西暦４ケタで入力してください」というメッセージが表示される。ユーザは文字キー７２ａのなかのアラビア数字０〜９を用いて、更新年月日の年を入力する。文字表示バー７２ｂを確認して、入力が合っていれば、決定ボタン７６を選択する。入力を訂正したい場合は、決定ボタン７６の左隣に表示されている訂正ボタン７８を選択する。この場合、訂正ボタン７８は、いわゆる「Ｂａｃｋ  Ｓｐａｃｅキー」の役割を果たす。すなわち、訂正ボタン７８を押すごとに、入力されている文字のうち一番後ろの文字が削除される。
【０１７０】
年の入力が終了すると、続いて「月を２ケタで入力してください」というメッセージが表示される。ユーザは年の入力と同様に、文字キー７２ａを用いて更新年月日の月を入力する。月の入力が終了すると、続いて「日を２ケタで入力してください」というメッセージが表示される。ユーザは年及び月の入力と同様に、文字キー７２ａを用いて更新年月日の日を入力する。なお、年月日の入力のときは、文字キー７２ａにおいて数字以外の文字入力が受け付けられないように設定されている。
【０１７１】
年月日の入力が全て終了すると、制御部１８は再び図１２の有効期限入力画面７１を表示させる。更新日入力欄７１ａの、「更新日」ボタンの右側の欄には、ユーザによって入力された年月日が反映されて表示されている。
【０１７２】
満了日入力欄７１ｂ及び次回有効期間入力欄７１ｃの入力についても、同様に、欄の左側に表示された「満了日」ボタンを選択し、表示された文字入力画面７２において数字を入力することによって行う。次回有効期間入力欄７１ｃの入力についても、同様に、欄の左側に表示された「次回有効期間」ボタンを選択し、表示された文字入力画面７２において数字を入力することによって行う。
【０１７３】
一旦入力した内容を削除したい場合は、７１ａ〜７１ｃのいずれかの入力欄の左側に配置されているボタンを選択した後、画面下部左寄りに表示されている削除ボタン７７を選択すると、制御部１８は入力内容を消去する。入力した内容を訂正したい場合は、７１ａ〜７１ｃのいずれかの入力欄の左側に配置されているボタンを選択した後、画面下部右寄りに表示されている訂正ボタン７８を選択する。訂正ボタン７８が選択されると、制御手段は再び図１３に表示する文字入力画面７２を表示させ、正しい年月日の入力を受け付ける。
【０１７４】
有効期限入力が完了した場合は、画面下部の右側に表示されている決定ボタン７６を選択する。決定ボタン７６が選択されると、制御部１８は入力されたデータをＥＥＰＲＯＭに記憶させる。
【０１７５】
図１１のタイトル選択画面７０において誕生日７０ｅが選択された場合は、制御部１８は、続いて、図１４に示す誕生日入力画面７３を表示させる。
【０１７６】
誕生日入力画面７３では、名前及び誕生日の入力及び誕生日に表示させるメッセージの選択を受け付ける。誕生日入力画面７３では、複数の人の誕生日が入力できるように、１０個の入力欄が設けられている。それぞれの欄には、入力された名前が表示される名前表示欄７３ａと、入力された誕生日が表示される誕生日表示欄７３ｂと、選択されたメッセージの番号が表示される選択メッセージ表示欄７３ｃとが設けられている。
【０１７７】
名前表示欄７３ａは、名前の入力を行っていない状態では、入力欄の番号１〜１０が記載されたボタンを表示している。
【０１７８】
まず、名前及び誕生日の具体的な入力操作を説明する。１０個の入力欄の中から、入力欄１〜１０の中から、入力を行いたい欄の番号が表示されたボタンを、タッチパネル６を介して選択する。ボタンが選択されると、制御部１８は、図１３に示す文字入力画面７２を表示させ、誕生日を入力する人の名前と誕生日の日付の入力を受け付ける。
【０１７９】
最初に、名前を入力するモードとなり、図示していないが、文字入力画面７２には、「お名前を入力してください」というメッセージを表示する。文字入力画面７２における入力操作は、上述した免許証の有効期限の入力と同様であるが、名前を入力するモードでは、文字キー７２ａは全て使用可能に設定されている。
【０１８０】
ひらがなを入力した後、画面下部左寄りに配置された変換ボタン７９を選択することによって、漢字変換を行うことができる。画面の上部の文字表示バー７２ｂに、変換した文字が表示されるので、ユーザは文字の変換を確認しながら入力することができる。
【０１８１】
名前の入力が終了した場合は、画面下部右側に表示されている決定ボタン７６を選択する。なお、ユーザが名前を入力したくない場合は、入力を行わずに決定ボタン７６を選択する。
【０１８２】
決定ボタンの選択を検出すると、続いて誕生日を入力するモードに移行する。図示していないが、文字入力画面７２には、「誕生日の月を２ケタで入力してください」というメッセージを表示する。ユーザは文字キー７２ａを用いて誕生日の月を入力する。月の入力を検出する、続いて「誕生日の日を２ケタで入力してください」というメッセージを表示する。なお、誕生日の月日の入力のときは、文字キー７２ａにおいて数字以外の文字入力が受け付けられないように設定されている。
【０１８３】
上述のように、文字入力画面７２において名前及び誕生日の入力を検出すると、制御部１８は、再び図１４の誕生日入力画面７３を表示させる。名前表示欄７３ａには、欄の番号の代わりに文字入力画面７２で入力した名前を表示し、誕生日入力欄７３ｂにも文字入力画面７２で入力された誕生日を表示する。
【０１８４】
次に、誕生日に表示させるメッセージの選択操作を説明する。まずユーザは、誕生日入力画面７３において、名前及び誕生日の入力が既にされている入力欄１〜１０から、メッセージの選択を行いたい欄の名前表示欄７３ａを選択する。さらに、画面下部右寄りに表示されているメッセージボタン８０を選択する。メッセージボタン８０の選択を検出すると、制御部１８は、図１５に示すメッセージ選択画面７４を表示させる。
【０１８５】
メッセージ選択画面７４には、誕生日に関する各種のメッセージＭ１〜Ｍ４を表示するメッセージ選択欄７４ａが設けられている。メッセージＭ１〜Ｍ４はＥＥＰＲＯＭ上に記憶されている。メッセージ選択欄７４ａの左隣にはメッセージ番号欄７４ｂが設けられ、それぞれのメッセージ番号Ｍ１〜Ｍ４を記載したボタンを表示している。メッセージＭ１〜Ｍ３は誕生日を祝う汎用的なメッセージである。メッセージＭ４は、実際のメッセージの表示の際には、先頭の「○○」の部分に誕生日入力画面で入力した名前が組み込まれるように設定されている。
【０１８６】
ユーザは、メッセージＭ１〜Ｍ４のうち、表示させたいメッセージ番号のボタンを選択し、画面下部右側に表示されている決定ボタン７６を選択する。例えば、メッセージＭ２が選択されると、制御部１８はメッセージＭ２を名前及び誕生日の情報と共にＥＥＰＲＯＭに記憶させる。さらに、再び図１４の誕生日入力画面７３を表示させる。
【０１８７】
各欄の誕生日入力欄７３ｂの横には、選択メッセージ表示欄７３ｃを設けており、メッセージ選択画面７４で選択されたメッセージ番号を表示する。欄３の選択メッセージ表示欄には、メッセージ番号Ｍ２を表示している。なお、デフォルトの状態では、メッセージ番号Ｍ１が設定され、選択メッセージ表示欄７３ｃに表示している。
【０１８８】
ここで、図１５のメッセージ選択画面７４に戻るが、ＥＥＰＲＯＭに記憶されている既存のメッセージＭ１〜Ｍ４の下に、ユーザが独自に作成したオリジナルメッセージを表示する、オリジナルメッセージ表示欄７４ｃを設けている。オリジナルメッセージ表示欄７４ｃの右隣のメッセージ番号欄７４ｂには、メッセージ番号の代わりにオリジナルメッセージであることを示す「Ｏｒｉｇｉｎａｌ」と記載されたボタンを表示している。
【０１８９】
ユーザが既存のメッセージＭ１〜Ｍ４を選択する代わりに、オリジナルメッセージを作成する場合には、メッセージ番号欄７４ｂの「Ｏｒｉｇｉｎａｌ」ボタンを選択する。「Ｏｒｉｇｉｎａｌ」ボタンの選択によって、制御部１８は、図１３に示す文字入力画面７２を表示させる。
【０１９０】
図１３の文字入力画面７２において、ユーザは規定文字数内でオリジナルメッセージの入力を行うことができる。名前の入力と同様に、文字キー７２ａを用いてメッセージを行い、必要に応じて変換ボタン７９を選択して、ひらがなを漢字に変換する。文字表示バー７２ｂに表示される内容を確認しながら、入力及び変換を行う。
【０１９１】
オリジナルメッセージの入力が完了したら、決定ボタン７６を選択する。制御部１８は、オリジナルメッセージをＥＥＰＲＯＭに記憶させ、再び図１５のメッセージ選択画面７４を表示させる。メッセージ選択画面７４のオリジナルメッセージ表示欄７４ｃには、文字入力画面７２で入力したオリジナルメッセージの内容を表示させている。
【０１９２】
文字入力画面７２からメッセージ選択画面７４に戻った状態では、「Ｏｒｉｇｉｎａｌ」ボタンが選択された状態となっているため、その状態で決定ボタン７６を選択することによって、入力したオリジナルメッセージが誕生日に表示させるメッセージとして決定される。
【０１９３】
制御部１８は、オリジナルメッセージを名前及び誕生日の情報と共にＥＥＰＲＯＭに記憶させる。さらに、再び図１４の誕生日入力画面７３を表示させる。オリジナルメッセージを選択した場合は、入力欄１に示すように、選択メッセージ表示欄７３ｃは、「Ｏｒｉ」と表示され、オリジナルメッセージが選択されていることが表示される。
【０１９４】
（メッセージの表示）
上述したように、ユーザによってイベントの入力が行われる。制御部１８は入力された情報をＥＥＰＲＯＭに記憶し、イベントの内容に応じたメッセージを表示器５に表示させる。以下に、そのメッセージの表示態様について説明する。
【０１９５】
図１６は、イベントとして誕生日が入力された場合のメッセージの表示態様を示す図である。イベントが誕生日である場合には、ユーザにサプライズをもたらすために、メッセージ内容そのものを表示させるのではなく、図１６（ａ）に示すように、メッセージの存在を知らせるメッセージ報知ボタン９０を最初に画面に表示させる。
【０１９６】
メッセージ報知ボタン９０は、「メッセージ」という文字が枠で囲われており、点滅発光するなど、目立つ態様で表示されている。メッセージ報知ボタン９０は、ユーザがメッセージの存在に気付くように、レーダー探知機１を起動した後、待ち受け画面も含めた画面に常時表示しておく。ただし、レーダー探知機１の他の機能を妨げないように、画面下部の隅に表示させる。
【０１９７】
ユーザがメッセージ報知ボタン９０を押すと、制御部は、図１６（ｂ）に示すように、「誕生日おめでとう」というメッセージ９１を画面に表示させる。メッセージ９１も、メッセージ報知ボタン９０と同様に、レーダー探知機１の他の機能を妨げないように画面下部に表示させるが、誕生日を祝うムードを演出するために、メッセージは色文字で表示し、文字の周囲に装飾文字やイラスト等を配する。また、メッセージ９１の表示と同時に、音声によりメッセージの読み上げを行う。
【０１９８】
なお、誕生日当日にユーザが車両に搭乗しなかった場合にも、その後約１週間のうちにユーザが車両に搭乗した場合には、メッセージ報知ボタン９０及びメッセージ９１の表示を行う。この場合は、誕生日が過ぎてしまったことを考慮して、メッセージ９１の前に「少し遅れたけど」等の文章を追加して表示させる。
【０１９９】
イベントとして運転免許有効期限日が入力された場合、メッセージ報知ボタン９０を表示させずに、メッセージ９１を直接表示させる。さらに、メッセージの表示は１回ではなく、２ヶ月の更新期間の前後に渡って複数回表示させる。
【０２００】
一例として、更新期間が７月１９日〜９月１９日である場合に、まず、図１７に示すように、免許更新期間の開始日の１０日前である７月１０日に、「７月１９日から免許更新期間が始まります。準備はお済みですか？」というメッセージ９１を表示させる。
【０２０１】
メッセージ９１はレーダー探知機１の他の機能を妨げないように画面下部に表示させる。表示タイミングとしては、ユーザの目に止まるように、３０分等の所定時間を空けて複数回表示させる。メッセージが一度に画面に表示できない場合は、文字が右から左へ流れていくように表示する。
【０２０２】
続いて、更新開始日である７月１９日に、「今日から９月１９日まで免許の更新期間です。早めに更新に行きましょう」というメッセージを表示させる。更新期間の基準日となる８月１９日には「更新期間は残り１ヶ月です。まだ更新がお済みでない場合は、早めに更新に行きましょう。」というメッセージを表示させる。更新期間終了日の９月１９日には「今日で更新期間が終了します。更新はお済みですか？」というメッセージを表示させる。なお、９月１９日にユーザが搭乗しなかった場合には、ユーザが次に搭乗したときに「更新期間は９月１９日で終了しています。更新はお済みですか？」というメッセージを表示させる。
【０２０３】
［効果］
上述した本実施の形態は、次のような効果を奏する。
（Ａ）制御部１８が、車両の搭乗日の日付と共に、搭乗日の個性情報を表示器５に表示させることで、ユーザは搭乗日の日付という無機質な情報だけでなく、その日特有の個性情報を見ることができ、搭乗日が他の日とは異なる個性を持つことを認識することができる。そのため、ユーザは、どの日も似たようなものとして漫然と車両に搭乗するのではなく、搭乗するごとに新鮮味や驚きを感じ、意識を引き締めて車両に搭乗することができるため、ひいては車両運転の安全性にも繋げることができる。
【０２０４】
（Ｂ）上述の実施形態では、搭乗日の個性情報として、搭乗日に関する六曜５２、七十二候５３、月の満ち欠け５５ａ、月齢５５ｂ、潮の干満５５ｃ及び記念日の情報５６ａを待ち受け画面５０に表示させた。これらは、搭乗日の他の日とは異なる特色を示す情報であり、例えば、カレンダーや時計のような日毎の変化を感得しにくい無機的な情報と比較して、それを目にしたユーザが搭乗日に対して何らかの印象や感慨を有するものであり、搭乗日が他の日と異なる特別な日であることを印象付けることができる。
【０２０５】
これらの情報の一つひとつは、搭乗日の他のすべての日と異なる特色を示すものではないが、少なくともその前後近傍の日と異なる特色を示している。それぞれ異なる単位及び異なる周期で内容が変化する情報の組み合わせであり、これらが組み合わさることによって相乗効果を成し、搭乗日の他の日とは異なる奥深い個性が醸成され、かつ全体として季節の変化等の大きな時季的移り変わりもユーザに体感させることができる。
【０２０６】
（Ｃ）七十二候５３は難解な名称も多いため、意味を解説するコメントも表示させた。ユーザがその内容を理解しやすくなり、またユーザの知的好奇心も満足させることができる。
【０２０７】
（Ｄ）制御部１８が、上記の複数の個性情報を、所定時間毎に切り換えて待ち受け画面５０に表示させることで、より多くの情報を表示することができ、またユーザも個々の情報を認識しやすくなる。また、画面に目をやるたびに新たな情報が表示されることで、ユーザは新鮮味を感じることもできる。また、車両は移動手段として用いられ、特に移動に時間を要する場合は、退屈になり、安全運転への意識も緩みがちである。しかしながら、車両の運転者が、信号待ちや渋滞等の車両の停止中に表示手段を見るたびに、搭乗日についての新たな情報を目にすることによって、リフレッシュ効果を得ることができ、意識を引き締めて安全運転をすることができる。また、同乗者も、待ち受け画面５０に表示される情報が切り換わるたびに、運転者との会話のきっかけを得ることができ、運転者のリフレッシュを助けることができる。
【０２０８】
（Ｅ）本実施形態では、七十二候５３の情報と共に、七十二候の画像５４を待ち受け画面５０に表示させた。また、月の満ち欠け５５ａ及び月齢５５ｂの情報と共に、対応する月の画像５５ｄを表示させた。さらに、記念日情報５６ａと共に記念日の画像５６ｂを表示させた。このように、搭乗日の特色を示す画像を搭乗日の個性情報として用いることで、ユーザは搭乗日の個性を直感的に、短い時間で感得することができる。また、画像を文字の情報と対応するもの、文字情報の内容に深く結びついたものを用いることで、ユーザは搭乗日の個性情報を容易かつ明確に理解することができる。これらの画像は、対応する文字の情報と共に、所定時間毎に切り換えて表示することで、多くの画像を表示することができ、またユーザも個々の画像を認識しやすくなる。
【０２０９】
（Ｆ）制御部１８が、上述した搭乗日の個性情報と共に、搭乗日の交通事故レベル情報５７を待ち受け画面５０表示させることで、単体で表示しただけでは漫然と見過ごされがちな交通事故レベルの情報を、ユーザに強く意識させ、ユーザの安全運転への意識を高めることができる。また、渋滞等で車両が停止している間に待ち受け画面で交通事故レベル情報を見ることで、長い運転で気が緩んでいる場合に、改めて安全運転を意識して運転を再開することができる。
【０２１０】
（Ｇ）交通事故レベル情報５７として、搭乗日の交通事故注意レベル５８とこの交通事故注意レベルを判断するために用いられた過去の交通事故発生レベル５９を共に表示するとで、ユーザは搭乗日の注意レベルを容易に把握できると同時に、その注意レベルの根拠となった過去の実績を把握できるため、搭乗日の注意レベルへの信頼性も確保することができる。
【０２１１】
（Ｈ）搭乗日の交通事故注意レベル５８と前記過去の交通事故発生レベル５９の表示は、レベルが高い場合は赤、レベルが中程度の場合は黄、レベルが低い場合は緑で表示する。レベルに応じて異なる色で表示することによって、ユーザは容易にレベルの高低を判断することができる。
【０２１２】
（Ｉ）制御部１８が、搭乗日の個性情報と共に、所定のアイテムの状態変化に応じた複数の画像を、所定時間ごとに切り換えて、待ち受け画面５０に表示させることで、ユーザを待ち受け画面５０へ注目させ、搭乗日の個性情報に対する関心も高めることができる。アイテムとして、花や野菜といった園芸アイテムや、高層ビルや橋といった建設アイテム等の、次の変化を予想できるものを用いることで、その搭乗日だけでなく、次の搭乗日への楽しみも喚起させることができる。
【０２１３】
（Ｊ）制御部１８は、各種のイベント入力画面を表示器５に表示させ、入力受付手段として、ユーザからのイベントの発生日の入力を受け付ける。そして、イベント発生日に対応する搭乗日に、搭乗日の個性情報として、イベントに関するメッセージを表示器５に表示させる。これによって、誕生日等のユーザの個人的な記念日を搭乗日の個性情報として登録することができ、ユーザに対して搭乗日が特別な日であることをより強く印象付けられる。また、運転免許証更新期限等の重要な期限をイベント発生日として入力することで、システムを便利なリマインダーとして活用することができる。また、ユーザの家族や恋人の誕生日をイベントとして入力することによって、彼らへのサプライズ手段としても活用することができる。
【０２１４】
（Ｋ）制御部１８は、タイトル選択画面７０を表示させ、ユーザからイベントの種別の入力を受け付けるようにし、入力されたイベントの種別に対応するメッセージを、イベント発生日に対応する搭乗日の個性情報として表示器に表示させる。これによって、イベントは誕生日や免許更新日等のその種類によって表示すべきメッセージの内容が大きく変わることもあるが、各種イベントの性質に沿った適切なメッセージを表示することができるので、高い利便性を提供することができる。
【０２１５】
（Ｌ）制御部１８は、イベント発生日にユーザが車両に搭乗しなかった場合に、次の搭乗日に次の搭乗日にイベント発生日の経過を反映したメッセージが表示することによって、例えば、ユーザはイベント発生日の経過に気付くことができ、利便性に優れている。また、イベントが誕生日だった場合には、「少し遅れたけど、誕生日おめでとう」というように、イベント発生日に通知するはずであったメッセージに、経過による変更を加味したメッセージを表示することによって、単なる定型のメッセージとは異なる温かみを感じさせ、ユーザにシステムへの愛着を喚起することができる。
【０２１６】
（Ｍ）制御部は、イベントが運転免許の更新期限である場合に、更新期間の開始前、期間内及び期間終了後に、更新期限を知らせるメッセージを表示させることによって、ユーザに運転免許更新期間を意識させ、運転免許更新を遺漏する可能性を低減させることができる。また、表示するタイミングによってメッセージの内容を変化させることで、ユーザに運転免許更新への準備を促したり、更新期間の終了が迫りつつあることに注意を促すことができる。
【０２１７】
（Ｎ）イベントが誕生日の場合、メッセージをいきなり表示器５に表示させる代わりに、メッセージ報知ボタン９０をまず表示させ、ユーザがこのボタンを選択した場合にメッセージ９１を表示させることで、ユーザの所望のタイミングでメッセージを表示させてサプライズプレゼントの手段として使うことができ、ユーザにとって使い勝手が良い。具体的には、運転者であるユーザが、恋人の誕生日をイベント発生日として入力した場合、恋人を迎えに行って助手席に搭乗させたときにボタンを選択して、恋人の誕生日を祝うメッセージを表示させることで、恋人に驚きと喜びを与えることができる。また、メッセージ報知ボタン９０をユーザによって選択されるまでは常に表示させておくことで、ユーザがサプライズを行うタイミングを逃すことがなく、使い勝手が良い。
【０２１８】
［他の実施形態］
本発明は、上記のような実施形態に限定されるものではなく、以下のような態様も構成可能である。
（ａ）上述の実施形態では、レーダー探知機１に内蔵されている、バッテリーバックアップされたリアルタイムクロック３９を用いて年、月、日、時刻の取得を行ったが、電波時計を用いて計時値を定期的に日本標準時刻に自動調整したり、ＧＰＳ、携帯電話網又はインターネット等を介して時刻の取得を行う構成とし、正確な現在日時を用いるようにするとよい。
【０２１９】
（ｂ）搭乗日の個性情報は、レーダー探知機１に内蔵されたＥＥＰＲＯＭ上に記憶し、制御部１８がプログラムに従ってこれを取得して表示させていたが、外部サーバー等の記憶手段に記憶させ、ネットワークを介して取得するようにしても良い。
【０２２０】
（ｃ）搭乗日の個性情報は、上述したものに限られない。搭乗日の他の日とは異なる特色を示す情報であって、ユーザに対して、搭乗日が他の日と異なる特別な日であることを印象付けることができる情報を含むことができる。搭乗日が他の日とは異なる特別な日であることをユーザに印象付けることができるような特色を示す情報として、例えば、カレンダーや時計のような日毎の変化を感得しにくい無機的な情報に対して、それを目にしたユーザが搭乗日に対して何らかの印象や感慨を有するような情報とすると良い。搭乗日の他の日とは異なる特色として、搭乗日の他のすべての日と異なる特色である必要はなく、例えば、少なくともその前後近傍の日と異なる特色とすると良い。
【０２２１】
搭乗日が他の日とは異なる特色を示す情報は、例えば、日単位で内容が変化する単独の情報で構成しても良く、あるいはそのような日単位で内容が変化する情報が複数組み合わさって構成しても良い。また、例えば、単体では日単位より長い期間で内容が変化するものを複数組み合わせて、搭乗日の他の日とは異なる特色を示す情報を構成しても良い。
【０２２２】
搭乗日の個性情報として、例えば、それぞれ内容の異なる複数の情報を備えると良い。これら複数の情報は、全てが１日単位で変化する情報である必要はなく、例えば、相互に異なる単位又は周期でそれぞれの内容が変化する複数の情報とすると良い。これによって、複数の情報の組み合わせが全体として搭乗日の他の日とは異なる個性を構成すると同時に、各情報によって季節の変化等の大きな時季的移り変わりもユーザに体感させることができる。そのような個性情報の他の例として、例えば、二十四節気を表示しても良い。
【０２２３】
（ｄ）また、待ち受け画面５０に表示させる個性情報を既存のものだけでなく、ユーザがカスタマイズして、オリジナルの個性情報を表示させることができるようにすると良い。カスタマイズ可能とするために、レーダー探知機１のメニュー画面にカスタマイズモードを設けると良い。ユーザ個人の記念日情報としては、例えば結婚記念日の情報がある。この場合は、カスタマイズモードにおいて、「今日は○○年目の結婚記念日です」という文字情報と、ユーザの結婚式の写真を関連する画像として登録すると良い。表示タイミングや表示頻度についても指定できるようにすると良い。
【０２２４】
（ｅ）上述の実施形態では、搭乗日の日付と個性情報を待ち受け画面５０に表示させる態様について説明したが、これらの情報は、待ち受け画面だけでなく、レーダー探知機１の起動直後に表示される初期画面に表示させると良い。初期画面は、ここでは、レーダー探知機１を起動直後に表示されるメーカーロゴや安全上の注意等が表示された後に表示される画面である。ユーザは車両に搭乗した際にレーダー探知機１を起動することが多いため、初期画面に搭乗日の個性情報と交通事故レベル情報を表示することで、これらの情報がユーザの目につきやすくなる。
【０２２５】
（ｆ）搭乗日の交通事故レベル情報も、待ち受け画面５０だけでなく、レーダー探知機１を起動した初期画面に表示しても良い。車両の搭乗前にユーザに交通事故レベル情報を印象付け、安全運転を意識させることができる。また、搭乗日の個性情報や交通事故レベル情報が、初期画面と待ち受け画面５０の双方に表示されることで、より長い時間情報が表示され、ユーザに対して搭乗日の個性や、交通事故レベル情報がより強く印象付けることができる。
【０２２６】
（ｇ）上述した実施形態では、待ち受け画面５０に表示させるアイテムとして、園芸アイテムと建設アイテムを例として説明したが、これに限られない。他にも、所定期間をかけて、育成、工作又は縫製といった行為によって状態変化するアイテムを用いることができる。育成アイテムとしては、犬や猫等のペットがある。ペット工作アイテムとしては、家具やロボットがある。縫製アイテムとしては、人形や洋服等がある。
【０２２７】
（ｈ）上述の実施形態では、アイテムを他の個性情報と共に待ち受け画面５０に表示していたが、単独で表示器５に表示しても良い。
【０２２８】
（ｉ）ユーザが選択することができるイベント種別は、図１１のタイトル選択画面７０に表示されたものに限られない。予め用意されているイベントの中に所望のものがなければ、カスタマイズモードにおいて、ユーザが新たな種類のイベントを登録できるようにすると良い。さらに、そのイベントに対応するメッセージの登録や、メッセージ報知のタイミングも設定できるようにすると良い。
【０２２９】
（ｊ）図１５のメッセージ選択画面７４において、既存のメッセージＭ１〜Ｍ４に希望のものが無い場合は、ユーザがオリジナルのメッセージを入力できるようにしているが、既存のメッセージＭ１〜Ｍ４を編集できるようにしても良い。その場合は、編集ボタンを設けて、ユーザが編集ボタンを選択し、かついずれかのメッセージ番号を選択することによって、編集モードに移行するようにするとよい。編集は、図１３の文字入力画面７２で行うと良い。
【０２３０】
（ｋ）上述の実施形態では、イベントが運転免許更新期限の場合に、更新期間の前後にもメッセージを表示させていたが、他のイベントでも同様に、イベント発生日の前にイベントに関するメッセージを表示させても良い。例えば、誕生日の１ヶ月前にイベント発生日を通知することによって、ユーザはプレゼントを用意する等の準備を入念に行うことができ、ユーザに高い利便性を提供し、また人間関係を円滑にする手助けをすることができる。
【０２３１】
また、イベント発生前のメッセージ表示は、一回に限られず、１ヶ月前、１０日前、５日前及び前日と、イベント発生日に近づくにしたがって短い間隔でメッセージを表示しても良い。間隔が短くなることで、イベント発生日の到来が近くなっていることを感覚的に理解し、イベントへの高揚感も得ることができる。なお、このような事前通知の要不要や事前通知の間隔は、イベント入力画面で設定できるようにしても良い。
【０２３２】
（ｌ）上述の実施形態では、免許更新期間の前後に渡って複数回メッセージを表示させる態様について説明したが、免許の更新が終了したときは、それ以上のメッセージは不要となる。そこで、図１２の有効期限入力画面７１に、手続完了日を入力する欄を設け、ユーザが完了日を入力した場合には、制御部１８はそれ以降のメッセージの表示を行わないようにしても良い。また、次回有効期間７１ｃの入力から次の免許更新期限を自動的に設定して、次の免許更新期間において同様のメッセージ表示を行うようにしても良い。
【０２３３】
（ｍ）上述の実施形態では、メッセージ報知ボタン９０は、図１６に示すように画像ボタンとして表示器５に表示させていたが、物理ボタンとして設けても良い。例えば、レーダー探知機１の操作のために使用するリモコン機器にメッセージ報知ボタン９０を設けることができる。
【０２３４】
あるいは、図１８に示すように、レーダー探知機１の正面に、表示器５と作業ボタン８とを配置する構成とした場合、作業ボタン８の一つとしてメッセージ報知ボタン９０を配置しても良い。
【０２３５】
メッセージ報知ボタン９０を物理ボタンとした場合、ユーザが確実にメッセージの存在を知ることができるように、イベント発生日に物理ボタンを発光させると良い。
【０２３６】
（ｎ）上述の実施形態では、本発明のシステムを適用する例として、レーダー探知機１を用いたが、カーナビゲーション装置等の他の車載用電子機器にも適用することができる。さらに車載用電子機器に限られず、デジタルクロック等の屋内で使用する時計や、表示器を備えた家電にも適用することが可能である。また、本発明の制御部の機能を実現させるためにプログラムを、ＰＣやスマートフォン等の電子機器にインストールすることにより、これらの電子機器にも本システムを適用可能である。
【符号の説明】
【０２３７】
１      レーダー探知機
２      ケース本体
３      ブラケット
５      表示器
６      タッチパネル
７      音量調整ボタン
８      作業用ボタン
９      カード挿入口
１０      メモリカードリーダ
１１      メモリカード
１２      ＤＣジャック
１３      ＧＰＳ受信器
１４      マイクロ波受信器
１５      無線受信器
１６      スピーカ
１８      制御部
１９      データベース
２２      接続ケーブル
２３      コネクタ端子
２４      ソケット口
２５      コネクタ端子
３１      ランプ
３２      リモコン受信器
３３      リモコン
３４      赤外線通信機
３５      携帯電話機
３６      地磁気センサ
３７      加速度センサ
３８      気圧センサ
３９      リアルタイムクロック
４０      カレンダー
５０      待ち受け画面
５１      日付情報
５２      六曜
５３      七十二候
５４      七十二候の画像
５５ａ    月の満ち欠け
５５ｂ    月齢
５５ｃ    潮の干満
５５ｄ    月の画像
５６ａ    記念日情報
５６ｂ    記念日の画像
５７      交通事故レベル情報
５８ａ    総合的な交通事故注意レベル
５８ｂ    解説文
５９      項目別の交通事故注意レベル
５９ａ    月評価
５９ｂ    曜日評価
５９ｃ    時間帯評価
５９ｄ    エリア評価
５９ｅ    都道府県評価
５９ｆ    速度評価
６０      アイテム画像
６１      アイテム選択ボタン
６２      アイテム表示開始ボタン
６３      リセットボタン
６４      アイテム設定を促すメッセージ
６５      アイテムリスト
７０      タイトル選択画面
７０ａ    運転免許証
７０ｂ    車検証
７０ｃ    資格
７０ｄ    任意保険証
７０ｅ    誕生日
７０ｆ    その他
７１      運転免許証有効期限入力画面
７１ａ    更新日入力欄
７１ｂ    満了日入力欄
７１ｃ    次回有効期間入力欄
７２      文字入力画面
７２ａ    文字キー
７２ｂ    文字表示バー
７３      誕生日入力画面
７３ａ    名前表示欄
７３ｂ    誕生日入力欄
７３ｃ    選択メッセージ表示欄
７４      メッセージ選択画面
７４ａ    メッセージ選択欄
７４ｂ    メッセージ番号欄
７４ｃ    オリジナルメッセージ表示欄
７５      戻るボタン
７６      決定ボタン
７７      削除ボタン
７８      訂正ボタン
７９      変換ボタン
８０      メッセージボタン
９０      メッセージ報知ボタン
９１      メッセージ
Ｍ１，Ｍ２，Ｍ３，Ｍ４  メッセージ
【図１】
2018129071.tif 000003
【図２】
2018129071.tif 000004
【図３】
2018129071.tif 000005
【図４】
2018129071.tif 000006
【図５】
2018129071.tif 000007
【図６】
2018129071.tif 000008
【図７】
2018129071.tif 000009
【図８】
2018129071.tif 000010
【図９】
2018129071.tif 000011
【図１０】
2018129071.tif 000012
【図１１】
2018129071.tif 000013
【図１２】
2018129071.tif 000014
【図１３】
2018129071.tif 000015
【図１４】
2018129071.tif 000016
【図１５】
2018129071.tif 000017
【図１６】
2018129071.tif 000018
【図１７】
2018129071.tif 000019
【図１８】
2018129071.tif 000020
【図１９】
2018129071.tif 000021
【図２０】
2018129071.tif 000022